(57)【特許請求の範囲】
【請求項１】
着用者の下胴部に着用されるようになった使い捨てプルオン式衣料品（２０）であって、
ａ．身体に向いた表面と、外部に向いた表面と、中央パネル（８）、ウエストバンドパネル（６）、耳パネル（１０）及びシームパネル（１２）を有する前側領域（２６）と、中央パネル（９）、ウエストバンドパネル（７）、耳パネル（１１）及びシームパネル（１２）を有する後側領域（２８）と、前側領域（２６）と後側領域（２８）との間に位置した股領域（３０）と、側部エッジと、端部エッジとを有するシャシ（４１）を有し、前記前側領域（２６）のウエストバンドパネル（６）と後側領域（２８）のウエストバンドパネル（７）は、ウエストバンドを構成し、前記シャシ（４１）は、トップシート（２４）と、トップシート（２４）に接合されたバックシート（２２）と、トップシート（２４）とバックシート（２２）との間に設けられた吸収性心材（２５）と、伸長性の腰部側特徴部を構成するよう前記ウエストバンドに接合された腰部弾性部材（８０）と、伸長性耳部（４６，４８）を形成するよう前記前側領域（２６）及び前記後側領域（２８）の前記耳パネルの各々の中に接合された側部弾性部材とを有し、
ｂ．１対の側方に間隔を置いた脚部通し穴（３４）及び腰部通し穴（３６）を形成するよう前側領域（２６）のシームパネルの部分を後側領域（２８）のそれぞれ対応関係にあるシームパネルの部分に接合する１対の側部シームを有し、
ｃ．ウエストバンドの一部を構成していて、腰部通し穴（３６）に隣接して身体向き内面上に位置した少なくとも１つの保持帯域を有し、
前記ウエストバンドは、回動すると保持帯域を露出させるように保持帯域を覆っている回動式フラップ（４６２）を有し、
前記保持帯域は、衣料品（２０）を着用者の身体上の所望の着用位置に保持するのに役立つよう身体向き内面上ではウエストバンドの他の帯域の静摩擦係数よりも少なくとも２００％高い静摩擦係数を有していることを特徴とする使い捨てプルオン式衣料品（２０）。
【請求項２】
前記衣料品（２０）は、ａ）衣料品（２０）を着用すると、着用者の臀部に接触するよう前記側部シームの各々に隣接して配置された保持帯域、及び（又は）、ｂ）背部接触領域のところで前記後側領域（２８）の中央パネル（９）に隣接して前記衣料品（２０）のウエストバンド上に設けられた保持帯域を有していることを特徴とする請求項１記載の使い捨てプルオン式衣料品（２０）。
【請求項３】
前記ウエストバンドは、その弛緩していて且つ非伸長状態にあるとき、ウエストバンドの内周の約１０〜１００％にわたりその上に位置する１又は複数の保持帯域を有し、保持帯域は、ウエストバンドの内周の２５％〜３０％にわたりその上に位置することを特徴とする請求項１又は２記載の使い捨てプルオン式衣料品（２０）。
【請求項４】
各々が第１の静摩擦係数を有する複数の第１の保持帯域と、第１の保持帯域相互間に介在して位置する第２の保持帯域とを更に有し、第２の保持帯域は各々、第１の静摩擦係数とは異なる第２の静摩擦係数を有し、第２の静摩擦係数は、第１の静摩擦係数よりも低いことを特徴とする請求項１〜３のうち何れか一に記載の使い捨てプルオン式衣料品（２０）。
【請求項５】
身体向き表面上に設けられた滑り帯域を更に有し、滑り帯域は、０．２０未満の静摩擦係数を有し、滑り帯域は、脚部通し穴に隣接して配置されていることを特徴とする請求項１〜４のうち何れか一に記載の使い捨てプルオン式衣料品（２０）。
【請求項６】
ａ）保持帯域は、腰部側特徴部の一部を形成していて、フラップ（４６２）がその回動されていない位置にあるときに、フラップ（４６２）に向くと共にその下に位置する弾性材料を有し、或いは、ｂ）保持帯域は、フラップ（４６２）の内面上に設けられていることを特徴とする請求項１記載の使い捨てプルオン式衣料品（２０）。
【請求項７】
フラップ（４６２）は、第１の静摩擦係数を備えた第１の身体向き表面と、最初は着用者の身体から遠ざかる方向に向き、第１の表面の静摩擦係数とは異なる第２の静摩擦係数を備えた第２の表面を有し、第１の静摩擦係数は、第２の静摩擦係数よりも小さく、第１の静摩擦係数は、０．２未満、第２の静摩擦係数は、少なくとも０．５であることを特徴とする請求項６記載の使い捨てプルオン式衣料品（２０）。
【請求項８】
少なくとも１つの保持帯域は、ａ）ウエストバンドの一部の上に位置していて、ポリマー材料、感圧接着剤、ゴムを主成分とする材料及びこれらの組み合わせから成る群から選択された被膜を有し、ｂ）保持帯域は、ウエストバンドに取り付けられた薄いポリマーフィルムで構成され、或いは、ｃ）保持帯域は、不織繊維ポリマー材料で構成され、不織繊維ポリマー材料は、衣料品の身体に向いた表面の一部に被着されたメルトブローポリマー繊維を有していることを特徴とする請求項１〜７のうち何れか一に記載の使い捨てプルオン式衣料品（２０）。
【請求項９】
保持帯域の静摩擦係数は、０．３〜４．０であることを特徴とする請求項１〜８のうち何れか一に記載の使い捨てプルオン式衣料品（２０）。
【請求項１０】
少なくとも１つの保持帯域は、少なくとも１，０００ｇｍの表面滑り抵抗力を有していることを特徴とする請求項１〜９のうち何れか一に記載の使い捨てプルオン式衣料品（２０）。
【請求項１１】
ウエストバンドは、
ａ．柔らかくて布のような肌触り及び外観の不織布から成る伸長性外側層（６０２）と、
ｂ．柔らかくて布のような肌触り及び外観の不織布から成る伸長性内側層（６０４）と、
ｃ．ウエストバンドを構成するよう内側不織布層と外側不織布層の各々の間に配置された静摩擦係数の高い材料を含む伸長性中間層（６０６）とを有し、中間層は、接合領域及び非接合領域を形成するよう内側不織布層に少なくとも部分的に結合され、静摩擦係数の高い材料は、ウエストバンドの円周方向に弾性的に伸長可能であり、
ｄ．前記ウエストバンドは、少なくとも１つの円周方向フラップ部材を形成するよう内側不織布層を貫通してその下縁から、下縁とその上縁との間の箇所まで延びる複数の互いに間隔を置いた切れ目を更に有し、少なくとも１つのフラップ部材は、内側不織布層と中間層との間の非接合領域の上に位置していて、ウエストバンドをユーザの皮膚上で、内側層の内面に実質的に平行であり且つウエストバンドの円周方向延伸方向に実質的に垂直な方向に動かすと、フラップ部材が１対の互いに間隔を置いて連続的に配置された切れ目を相互に連結する円周方向ピボット線の回りに回動して静摩擦係数の高い材料を露出させるようになっていることを特徴とする請求項１〜１０のうち何れか一に記載の使い捨てプルオン式衣料品。
【請求項１２】
ウエストバンドは、
ａ．柔らかくて布のような肌触り及び外観の不織布から成る伸長性外側層（６０２）と、
ｂ．柔らかくて布のような肌触り及び外観の不織布から成る伸長性内側層（６０４）と、
ｃ．ウエストバンドを構成するよう内側不織布層と外側不織布層の各々の間に配置された静摩擦係数の高い材料を含む伸長性中間層（６０６）とを有し、中間層（６０６）は、接合領域及び非接合領域を形成するよう内側不織布層（６０４）に少なくとも部分的に結合され、静摩擦係数の高い材料は、ウエストバンドの円周方向に弾性的に伸長可能であり、
ｄ．伸長性内側層（６０４）は、対応関係にある非接合領域に重なる複数の円周方向に延びる回動式フラップ（６１４）を有し、フラップ（６１４）は、それぞれのピボット軸線の回りに回動可能であり、ウエストバンドに対して円周方向に延びていることを特徴とする請求項１〜１１のうち何れか一に記載の使い捨てプルオン式衣料品（２０）。
【発明の詳細な説明】
【０００１】
〔分野〕
本発明は、乳幼児や大人のための使い捨て吸収物品、例えば、失禁用衣料品に関し、かかる物品としては、使い捨て下着、使い捨ておむつ、使い捨てプルオン式おむつ、使い捨てトレーニングパンツ及び生理用使い捨てパンティーが挙げられる。特に、本発明は、物品を着用している間、着用者の身体に対する吸収性物品の滑りを防止する保持帯域を有する使い捨て吸収物品に関する。
【０００２】
〔背景〕
乳幼児や失禁症の人は、尿や身体から出る他の分泌液を受け入れて封じ込める使い捨ての吸収性物品、例えばおむつ又は他の吸収性下着を着用している。着用者の身体にスリップオン式に装着できるよう予め組み立てられた衣料品の形態をしている吸収性物品（例えば、トレーニングパンツ又はプルオン式おむつ）が最近はやっている。身体の分泌液を封じ込めると共に多種多様な身体の寸法形状に合うようにするために、かかる衣料品は、下胴部上のこれらの位置から垂れ落ちたり、ずり落ちたり、滑り落ちることがないようにすると共に製品がきつすぎるために皮膚に対して不必要な圧迫感を生じさせるような事態を生じないで着用者の快適さが得られるよう着用者の腰部及び脚部の周りにぴったりとフィットしなければならない。
【０００３】
多くのタイプのプルオン式衣料品は、弾性的に縮むことができる状態で腰部通し穴及び脚部通し穴内に固定された従来型弾性要素を用いている。例えば、「バルーンタイプ（balloon type）」パンツとして知られているプルオン式吸収性衣料品は、縮み形態にある製品の特定の帯域内にゴム入りバンドを有し、残りの材料は軽く膨らみがちになっている。かかるプルオン式衣料品の例が、１９９２年１２月１５日に公開された米国特許第５，１７１，２３９号及び１９８６年９月９日に公開された米国特許第４，６１０，６８１号に開示されている。これら衣料品は、或る範囲の腰部（ウエスト）及び脚部（レッグ）のサイズに合うようになっている。というのは、弾性部分が拡張して種々のサイズの着用者に合うようになっているからである。それにもかかわらず、サイズの変化を可能にする弾性要素の伸長度が限られているのでサイズの範囲には制限がある。腰部通し穴及び脚部通し穴に用いられる幅の狭い弾性バンドもまた、フィット力を着用者の身体の狭い帯域に集中させる傾向があり、これが原因となって、着用者の皮膚にマークが付くという事態又は症状が多くなっている。
【０００４】
腰部用ゴムひも及び側部（横腹部）用ゴムひもを用いる別タイプのプルオン式吸収性衣料品が、１９９０年７月１０日に公開された米国特許第４，９４０，４６４号、１９９３年９月２１日に公開された米国特許第５，２４６，４３３号、１９９７年１月７日に公開された米国特許第５，５９１，１５５号、１９９３年２月１０日に公開された欧州特許出願公開明細書０５２６８６８Ａ１、１９９６年８月１３日に公開された米国特許第５，５４５，１５８号及び１９９３年６月２３日に公開された欧州特許出願公開明細書０５４７４９７Ａ２に開示されている。
【０００５】
上述した形式の使い捨て吸収性衣料品は一般に、衣料品の腰部領域内に設けられたゴム入り構造によって着用者の身体上の定位置に保持される。ゴム入り構造は好ましくは、腰部構造内にフープ応力を生じさせ、腰部構造を着用者の腰部領域に当ててこれに押し付けるように張力を受けた状態にある。また、かかる衣料品を着用している間、かかる衣料品の下向きの滑り又はずれを最小限に抑えるため、ゴム入り腰部構造内のフープ応力は、着用者の腰部のところで皮膚に圧着するのに十分な大きさの内向きの力を生じさせるのに足るほど大きくなければならない。内向きの力は、着用者の身体に垂直の力を及ぼして結果的に、衣料品を最初に着用者に当てた時の衣料品の最初の位置から遠ざかって衣料品を着用者の腰から下に引き下げがちに作用する力に打ち勝つのに十分な摩擦を着用者の皮膚と弾性腰部構造の内面との間に生じさせるほど大きいものである必要がある。この点に関し、衣料品に作用してこれを引き下げる下向きの力は、一要因としては着用者の動きによって生じ、またこれら下向きの力は、一要因としては吸収性心材が尿及び糞便の形態の排出物を吸収して封じ込めることに起因して生じる吸収性の分泌液受入れ心材の重量の増大によって生じる。
【０００６】
しかしながら、衣料品を着用者の身体上のその当初の位置に保持しようとするのに十分なフープ応力をゴム入り腰部構造内に設ける際、着用者の腰部に作用する内向きの力により、圧迫感及び締り作用が着用者の身体に及ぼされ、それにより着用者が不快感を覚えたり、着用者の腰部周りの皮膚に望ましくない圧迫によりマーク（「赤マーク」と呼ばれる場合がある）が生じる場合もある。かかる赤マークは、着用者の腰部に加わる内向きの力が比較的大きいことを表しており、赤マークが付くということは、着用者に不快感を生じさせること及びかかる衣料品を着用している小さな子供の母親に心配を生じさせることの両方の理由で望ましくない。本発明は、衣料品と着用者の皮膚との間の表面静摩擦力を増大させ、それにより、フープ応力及びその結果として生じる着用者の身体に作用する内向き力を減少させることができるようにすることにより、かかる不快感を最小限に抑えると共にこれに付随して生じる着用者の皮膚に赤マークが生じるのを最小限に抑えることに関する。加うるに、本発明により、着用者の皮膚に対する圧力を低くすることができるので、本発明は又、かかる衣料品の部分と着用者の皮膚との間の相対運動により生じる皮膚の擦過傷を減少させるのにも役立つ。
【０００７】
使い捨ておむつの内面の摩擦係数を増大させるという大まかな構想は、１９９８年７月２１日にTanzer氏等に付与された米国特許第５，７８２，８１９号（発明の名称：Article with Stay-In-Place Feature）及び１９９５年８月２４日に公開された国際出願公開明細書ＷＯ９５／２２３０６（発明の名称：AbsorbentPant Diaper ；発明の名称：Kling 氏等）に開示されている。しかしながら、後者の特許技術文献は、特定の摩擦係数の値を開示しておらず、また、おむつの臀部のところに摩擦剤を配置することを教示しているが、おむつの側部シーム上及び後側部分内に設けることは教示していない。前者の特許技術文献は、動摩擦係数が、運動が或る一方向に生じる場合には第１の値を持ち、運動がその逆方向に生じる場合には第２の値を持つ構造を開示している。
【０００８】
本発明の目的は、使い捨て吸収性物品を着用者による動きの際にその所望の着用位置に保持するよう物品の皮膚に向いた表面の選択された部分のところに比較的高い静摩擦係数を有する使い捨て吸収性物品を提供することにある。
【０００９】
本発明の別の目的は、着用者の身体への使い捨て吸収性物品の着脱を容易にするために構造の選択された部分上で比較的低い静摩擦係数を有する使い捨て吸収性物品を提供することにある。
【００１０】
〔概要〕
概要を説明すると、本発明の一特徴によれば、トップシート、トップシートに接合されたバックシート及びトップシートとバックシートとの間に設けられた吸収性心材を有するシャシを含む使い捨て衣料品が提供される。シャシは、前側領域、後側領域、前側領域と後側領域との間に位置した股領域、側部エッジ及び端部エッジを有している。１対の側方に間隔を置いて位置する脚部通し穴及び脚部通し穴の各々から間隔を置いた腰部通し穴を備えた衣料品を形成するよう、１対の側部シームが、前側領域のところでシャシの側部エッジの部分を後側領域のところのシャシのそれぞれ対応関係にある側部エッジの他の部分に接合している。少なくとも１つの保持帯域が、側部シームの上に位置した状態で腰部通し穴のところで衣料品の内部に設けられている。保持帯域は、衣料品を着用者の身体上の所望の着用位置に保持するのに役立つよう、ウエストバンドの他の身体接触部分の静摩擦係数よりも少なくとも約２００％高い静摩擦係数を有している。
【００１１】
本発明の別の特徴によれば、使い捨て衣料品は、着用者の身体への衣料品の着脱を容易にするよう衣料品の内側身体向き表面内に設けられたスリップ帯域を有している。スリップ帯域は、約０．２０未満の程度の比較的低い静摩擦係数を保有している。スリップ帯域を、保持帯域相互間の箇所でウエストバンドの外面上又は衣料品を着用したとき、着用者の腹部（胃部）の上に位置するウエストバンドの部分上に設けてもよく、或いは、これらスリップ帯域を、衣料品の着脱の際の抵抗を減少させるよう脚部通し穴に隣接して内面の回りに設けてもよい。さらに、静摩擦係数が約０．２０〜約１．５の範囲の中程度の帯域を保持帯域とスリップ帯域との間に設けるのがよい。
【００１２】
本発明の別の特徴によれば、ウエストバンドの内面は、１以上の回動可能なフラップを有するのがよい。フラップの或る一つの位置では、静摩擦係数の比較的高い領域が覆われ、フラップの別の回動位置では、静摩擦係数の高い領域が着用者の皮膚に対して露出される。フラップ材料は、静摩擦係数が約０．２０〜約１．５程度の領域を露出させるようウエストバンドの周囲と実質的に平行なピボット軸線の回りに回動する。
【００１３】
〔詳細な説明〕
本明細書中に用いられる「プルオン式衣料品（pull-on garment ）」という用語は、画定された腰部通し穴及び１対の脚部通し穴を有し、脚を脚部通し穴に入れ、物品を引っ張り上げて腰に付けることにより着用者の身体に装着される衣料品のことである。
【００１４】
本明細書における「使い捨て」という用語は、洗濯或いは他の方法で元の状態に戻したり又は衣料品として再使用されるようにはなっていない衣料品を記述する用語である（即ち、これら衣料品は、１回使用された後に捨てられ、好ましくは、再生利用され、堆肥にされ、或いは環境に優しい方法で処分されるようになっている）。
【００１５】
本明細書においては「一体形」プルオン式衣料品は、互いに結合されて連携して機能する物品を形成する別個の部品で形成されたプルオン式衣料品を意味するが、耳パネルは、衣料品の中央パネル又はシャシをも形成する少なくとも１つの層によって形成されているという点において、別体のシャシに結合される別体の部分ではない（即ち、衣料品は、別々に手で扱うパネル、例えば、別個のシャシ及び別個の耳パネルを必要としない）。プルオン式衣料品は又好ましくは、身体から排出された種々の分泌液を吸収して封じ込めるよう「吸収性」である。本発明のプルオン式衣料品の好ましい実施形態は、図１に示す一体形使い捨て吸収性プルオン式衣料品、即ち、プルオン式おむつ２０である。
【００１６】
本明細書における「プルオン式おむつ（pull-on diaper）」という用語は、乳幼児及び他の失禁がちな人によって一般に着用され、糞尿を吸収して封じ込めるプルオン式衣料品を意味している。しかしながら、本発明は、他のプルオン式衣料品、例えば、トレーニングパンツ、失禁用ブリーフ、女性の衛生用衣料品又はパンティー等にも適用できることは理解されるべきである。
【００１７】
本明細書における「接合された」又は「接合する」という用語は、要素を直接他の要素に取り付けることにより要素を直接別の要素に固定する形態及び要素を中間の部材に取り付け、この中間の部材を他の要素に取り付けることにより、要素を間接的に他の要素に固定する形態を含む。
【００１８】
本明細書における「長手方向」という用語は、プルオン式おむつを着用したときに立っている着用者を左半部と右半部に２等分する垂直平面と全体として整列した（例えば、これとほぼ平行な）プルオン式おむつの平面内の線、軸線又は方向を意味している。
【００１９】
本明細書における「横方向」及び「側方」という用語は、互換性があり、即ち相互に区別なく用いられており、長手方向にほぼ垂直な（着用者を前側体半部と後側体半部に分ける）プルオン式おむつの平面内に位置する線、軸線又は方向を意味している。
【００２０】
図１、図２及び図３を参照すると、プルオン式おむつ２０は、前側領域２６、後側領域２８及び前側領域２６と後側領域２８との間に位置する股領域３０を有している。おむつ２０は、２本の中心線、即ち、長手方向中心線１００及び横方向中心線１１０を更に有しており、その構成材料は、使用中着用者の皮膚に向く身体向き表面及び身体向き表面から遠ざかる方向に向く外部向き表面を有している。
【００２１】
図２は、図１のプルオン式おむつ２０をその平らに広げ、締めていない状態で示す平面図であり、一緒になっておむつの構造を構成する種々のパネル及びこれらの相対的な位置を示している。「パネル」という用語は、プルオン式おむつ又はベルトの領域又は要素を意味するものとして用いられている。パネルは代表的には互いに別個の領域又は要素であるが、パネルは隣接のパネルと同じものであり、或いは機能的に一致するものであるのがよい。
【００２２】
図２に示すように、おむつ２０は主パネル２及び主パネル２にそれぞれの長手方向エッジ（縁）２Ｂに沿って連結された一対の細長い全体として矩形の脚部フラップパネル４を備えた股領域３０を有している。前側領域２６は、中央パネル（中間パネル）８、ウエストバンドパネル６、耳パネル１０及びシームパネル１２を有し、後側領域２８は、中央パネル（中間パネル）９、ウエストバンドパネル７、耳パネル１１及びシームパネル１３を有している。股領域３０は、連続ベルト（他のパネル）の起点となるプルオン式おむつ２０の部分である。吸収性心材は全体として主パネル２内に設けられている。というのは、分泌液はこの領域に放出されるのが通例だからである。ただし、吸収性心材は代表的には、ベルトの中間パネル８，９内へ延びることになろう。脚部フラップパネル４は全体として、主パネル２の各側部エッジ（側縁という場合もある）２Ｂに沿ってこれから全体として側方外方に延びている。各脚部フラップパネル４は全体として、弾性脚部の構造的特徴の少なくとも一部を形成している。
【００２３】
連続ベルト帯域（前側領域２６及び後側領域２８）は全体として、股領域３０（主パネル２及び脚部フラップパネル４）の各側方又は横方向エッジ１５９に沿ってこれから全体として長手方向外方に延びている。前側領域２６内では、中間パネル８（即ち、中央パネル）は、股領域３０の側方エッジ１５９に沿ってこれから全体として長手方向外方に延びている。中間パネル８は、腰部側のエッジ１９０及び側部（横腹部）側のエッジ１９１を有している。
【００２４】
耳パネル１０は各々、中間パネル８（即ち、中央パネル）の側部エッジ１９１に沿ってこれから全体として側方外方に延びている。耳パネル１０は、腰部エッジ１６１及び側部エッジ１７１を有している。ウエストバンドパネル６は、中間パネル８（即ち、中央パネル）の腰部エッジ１９０及び耳パネル１０の腰部エッジ１６１に沿ってこれらから全体として長手方向外方に延びている。ウエストバンドパネル６は、側部エッジ１７５を有している。
【００２５】
シームパネル１２は各々、耳パネル１０の側部エッジ１７１及びウエストバンドパネル６の側部エッジ１７５に沿ってこれらから全体として側方外方に延びている。後側領域２８内では、中間パネル９（即ち、中央パネル）は、股領域３０の他の側部エッジ１５９に沿ってこれから全体として長手方向外方に延びている。
【００２６】
中間パネル９は、腰部エッジ１９２及び側部エッジ１９３を有している。耳パネル１１は各々、中間パネル９（即ち、中央パネル）の側部エッジ１９３に沿ってこれから全体として側方外方に延びている。耳パネル１１は、腰部エッジ１６３及び側部エッジ１７３を有している。
【００２７】
ウエストバンドパネル７は、中間パネル９（即ち、中央パネル）の腰部エッジ１９２及び耳パネル１１の腰部エッジ１６３に沿ってこれらから全体として長手方向外方に延びている。ウエストバンドパネル７は、側部エッジ１７７を有している。シームパネル１３は各々、耳パネル１１の側部エッジ１７３及びウエストバンドパネル１７の側部エッジ１７７に沿ってこれらから全体として側方外方に延びている。前側領域２６は、そのパネルに加えて、腰部エッジ１５１、脚部側のエッジ１５３及び側部エッジ１５４を更に有している。後側領域２８は、そのパネルに加えて、腰部エッジ１５５、脚部エッジ１５６及び側部エッジ１５７を更に有している。股領域３０は、脚部エッジ１５８を有している。
【００２８】
おむつ２０は、シャシ４１、腰部エラストマー材料（図１、図２及び図３には示さず）及びシーム３２を有している。プルオン式おむつ２０は、位置決めがシーム３２と関連した引裂き開きタブ３１及び内側バリヤ折返し部５４を含むゴム入り脚部折返し部５２を有するのがよい。横腹部又は側部エラストマー材料は、耳パネル１０，１１の少なくとも一部を伸長可能にし、それにより、伸長性耳４６，４８を形成している。腰部エラストマー材料は、ウエストバンドパネル６，７の少なくとも一部を伸長可能にし、それにより、連続した伸長性ウエストバンド５７，５９を形成している。側部エラストマー材料及び腰部エラストマー材料は、互いに別個の要素であって、プルオン式おむつ２０の長手方向には互いにオーバーラップしないよう設けられている。これにより、寸法の伸び、圧力等の調整を行うことができるよう腰部及び側部エラストマー材料の一層独立した動作が可能になる。伸長性耳４６，４８及び連続伸長性ウエストバンド５７，５９は、少なくとも側方に伸長可能である。シーム３２は、前側領域２６のシームパネル１２と後側領域２８のシームパネル１３を接合し、それにより、耳パネル１０は耳パネル１１に接合され、１つの腰部通し穴３６及び２つの脚部通し穴３４が形成される。耳パネル１０が耳パネル１１に接合された形態では、連続伸長性ウエストバンド５７，５９は、腰部通し穴３６の周りに連続した伸長性の腰部側特徴部６０を形成している。さらに、連続ベルト帯域３８が、前側領域２６及び後側領域２８内に延びている。
【００２９】
図３を参照すると、シャシ４１は、吸収性心材２５及び吸収性心材２５と関連して配置された複数の層、例えば、トップシート２４及びトップシート２４と連携するバックシート２２を有している。吸収性心材２５は、トップシート２４とバックシート２２との間に配置されている。シャシ４１は、吸収性心材２５と関連して設けられた位置以上の追加の層を更に有するのがよい。トップシート２４は、使用中、着用者の身体に隣接して位置する身体向き表面を有している。バックシート２２は、着用者の身体から遠ざかって配置された外部向き表面を有している。好ましくは、バックシート２２は、内側バリヤフィルム６８及び不織外カバー２３を有している。シャシ４１は、前側領域２６、後側領域２８及び股領域３０を構成しているので、シャシ４１は、上述した対応関係をなす領域及びパネルを更に有している。（説明を簡単にするために、これら領域及びパネルには図中、図２に示すような対応関係をなすプルオン式おむつの領域及びパネルと同一の符号がつけられている。）
トップシート２４及びバックシート２２の内側バリヤフィルム６８は、吸収性心材２５よりも大きな長さ寸法及び幅寸法を有している。トップシート２４及び内側バリヤフィルム６８は、吸収性心材２５の側縁及び端縁を越えて延び、それにより、シャシ４１の周囲を形成している。トップシート２４は、プルオン式おむつ２０の腰部エッジ１５１，１５５相互間で長手方向に延びている。トップシート２４は、腰部側の端部２４Ａ及び側部２４Ｂを有している。トップシート２４の腰部側端部２４Ａ（即ち、端部延長部分２４Ａ）は、プルオン式おむつ２０のウエストバンドパネル６，７の一部の中に延びている。内側バリヤフィルム６８は、腰部側の端部６８Ａ及び側部６８Ｂを有している。内側バリヤフィルム６８は、トップシート２４よりも長手方向においてほんのわずか短く、トップシート２４よりも側方においてほんのわずか広い。内側バリヤフィルム６８は、股領域３０の少なくとも一部に第１の部分９４及び前側領域２６又は後側領域２８の少なくとも一部に第２の部分９６を形成するようむらのある側方幅を有している。内側バリヤフィルム６８の側方幅は、腰部側端部６８Ａに向かって次第に減少し、したがって第２の部分９６が第１の部分９４の側方幅寸法よりも小さな側方幅寸法を有するようになっている。内側バリヤフィルム６８は好ましくは、耳パネル１０，１１の有効側方延長長さを増大させると共に耳パネル１０，１１の嵩張り具合を減少させるよう耳パネル１０，１１内には延びていない。内側バリヤフィルム６８は、ウエストバンドパネル６，７の嵩張り具合を減少させるようウエストバンドパネル６，７にも延びていない。加うるに、内側バリヤフィルム６８は、耳パネル１０，１１とウエストバンドパネル６，７の両方の中へ延びていないので、内側バリヤフィルム６８は、これら領域の呼吸性を阻害しない。トップシート２４、内側バリヤフィルム６８及び吸収性コア２５を種々の周知の形態で組み立てることができるが、例示のシャシ形態が、１９７５年１月１４日にKenneth B. Buell氏に付与された米国特許第３，８６０，００３号（発明の名称：Contractible Side Portions for Disposable Diaper）及び１９９２年９月２９日にKenneth B. Buell氏等に付与された米国特許第５
，１５１，０９２号（発明の名称：Absorbent Article With Dynamic Elastic Waist Feature Having A Predisposed Resilient Flexural Hinge）に全体的に記載されている。
【００３０】
好ましくは、不織外カバー２３はプルオン式おむつ２０の最も外側の部分の領域の殆ど全てを覆う。不織外カバー２３は、プルオン式おむつ２０とほぼ同一の形状のものであるのがよい。不織外カバー２３は、腰部側の端部２３Ａ及び側部２３Ｂを有している。不織外カバー２３は、前側領域２６内に位置した側部延長部分２３Ｃ及び後側領域２３内に位置した側部延長部分２３Ｄを更に有している。不織外カバー２３の腰部側端部２３Ａ（即ち、端部延長部分２３Ａ）は、ウエストバンドパネル６，７内へ延び、不織外カバー２３の側部延長部分２３Ｃ，２３Ｄは、耳パネル１０，１１内へ延びている。変形例として、バックシート２２の不織外カバー２３は、内側バリヤフィルム６８とほぼ同一の形状を有していて、不織外カバー２３が内側バリヤフィルム６８の領域だけを覆うようにしてもよい。変形例として、不織外カバー２３を省いてもよく、内側バリヤフィルム６８は、プルオン式おむつ２０とほぼ同一の形状のものであって、耳パネル１０，１１とウエストバンドパネル６，７の両方の中へ延びていてもよい。
【００３１】
吸収性心材２５は、一般に圧縮性があって形状適合性があり、着用者の皮膚にに対して非刺激性であり、しかも液体、例えば尿及び身体からの他の或る幾つかの種類の分泌物を吸収して保持することができる吸収性部材であるのがよい。吸収性心材２５は、多種多様なサイズ及び形状（例えば、矩形、砂時計形、「Ｔ」字形、非対称形等）で、しかも使い捨てプルオン式衣料品で通常用いられている多種多様な液体吸収材料及び他の吸収性物品、例えばエアフェルト（airfelt ）と通称されている微粉砕木材パルプから作ることができる。他の適当な吸収性材料の例としては、クレープ加工セルロース詰綿、コフォーム（coform）を含むメルトブロー法処理重合体（ポリマー）、化学的に剛化され改質され又は架橋されたセルロース系繊維、ティシューラップやティッシューラミネートを含むティシュー、吸収性フォーム、吸収性スポンジ、超吸収性重合体、吸収性ゲル化物質又はこれらと同等な任意の物質又はこれら物質の組合せが挙げられる。
【００３２】
吸収性心材２５の形状及び構造は、様々であってよい（例えば、吸収性心材２５は、厚さが漸変する帯域、親水性勾配又は超吸収性勾配があり、或いは平均密度が低く且つ平均基本重量が低い収集帯域を有していてもよく、或いは、１又は２以上の層又は構造部材を有していてもよい）。さらに、吸収性心材２５のサイズ及び吸収容量も又、乳幼児から大人にわたる着用者に対応するよう様々であるのがよい。しかしながら、吸収性心材２５の総吸収容量は、おむつ２０の設計保持量及び所期の用途と両立すべきである。
【００３３】
吸収性心材２５は好ましい形態では、前側腰領域２６及び後側腰領域２８に耳を有する非対称で砂時計の形を改変した形状のものである。広く受け入れられ商業的成功が達成された吸収性心材２５として用いられる他の例示の吸収性構造が、１９８６年９月９日にWeisman 氏等に付与された米国特許第４，６１０，６７８号（発明の名称：High-Density Absorbent Structures ）、１９８７年６月１６日にWeisman 氏等に付与された米国特許第４，６７３，４０２号（発明の名称：Absorbent Articles With Dual-Layered Cores）、１９８９年１２月１９日にAngstadt氏に付与された米国特許第４，８８８，２３１号（発明の名称：Absorbent Core Having A Dusting Layer ）及び１９８９年５月３０日にAlemany 氏等に付与された米国特許第４，８３４，７３５号（発明の名称：High Density Absorbent Members Having Lower Density and Lower Basis Weight Acquition Zones）に記載されている。
【００３４】
シャシ４１は、図４に示すように、吸収性心材２５上に設けられていて、デュアル心材システムを形成する化学的に剛化された繊維から成る収集／分配心材８４を更に有するのがよい。好ましいデュアル心材システムは、１９９３年８月１０日にAlemany 氏等に付与された米国特許第５，２３４，４２３号（発明の名称：Absorbent Article With Elastic Waist Feature and Enhanced Absorbency）及び１９９２年９月１５日にYoung 氏、LaVon 氏及びTaylor氏に付与された米国特許第５，１４７，３４５号（発明の名称：High Efficiency Absorbent Articles For Incontinence Management）に開示されている。好ましい実施形態では、収集／分配心材８４は、Weyerhaeuser Co.（米国）から商品名ＣＭＣで入手できる化学的に処理された剛化セルロース系繊維材料からなる。
【００３５】
変形例として、シャシ４１は、図４に示すようにトップシート２４と収集／分配心材８４との間に位置する収集／分配層８２を更に有している。収集／分配層８２は、トップシート２４の表面湿潤をもたらす傾向を減少させやすくするために設けられている。収集／分配層８２は好ましくは、例えばPolymer Group,  Inc., North America （米国ニュージャージー州ランディシビル所在）からコード番号ＦＴ−６８６０として入手できるカーディングされた樹脂接合ハイロフト不織材料からなり、これは６dtexのポリエチレンテレフタレート繊維で作られていて、その基本重量は約４３ｇ／ｍ２  である。
【００３６】
トップシート２４は好ましくは、しなやかで、肌触りがソフトであり、しかも着用者の皮膚に対して刺激のないものである。さらに、トップシート２４は、液体（例えば、尿）がその厚さを容易に貫通することができるよう液体浸透性である。適当なトップシート２４を、広範な材料、例えば織物又は不織物、重合体材料、例えば有孔成形プラスチックフィルム、有孔プラスチックフィルム及び油圧成形熱可塑性フィルム、多孔質フォーム、網状フォーム、網状熱可塑性フィルム及び熱可塑性スクリムで作ることができる。適当な織物及び不織物に、天然繊維（例えば、木繊維又は綿繊維）、合成繊維（例えば、重合体繊維、ポリエステル、ポリプロピレン又はポリエチレン繊維）、或いは天然繊維と合成繊維の組合せから形成するのがよい。
【００３７】
トップシート２４は好ましくは、着用者の皮膚を、トップシート２４を通過し、吸収性心材２５内に封じ込められた液体から隔離する（即ち、再び濡れないようにする）疎水性材料で作られている。トップシート２４を疎水性材料で作った場合、トップシート２４の少なくとも上面を、親水性であるように加工し、それにより液体がトップシートを一層迅速に通って移動するようにする。これにより、身体の分泌液が、トップシート２４を通って吸い込まれて吸収性心材２５によって吸収されずに、トップシート２４から流れ落ちることになる恐れが低くなる。トップシート２４を、表面活性剤で加工することにより親水性にしてもよい。トップシート２４を界面活性剤で加工する適当な方法としては、トップシート２４の材料に界面活性剤をスプレーし、この材料を界面活性剤中に浸漬させることが挙げられる。かかる加工方法及び親水性化についての詳細な説明は、１９９１年１月２９日にReising 氏等に付与された米国特許第４，９８８，３４４号（発明の名称：Absorbent Articles with Multiple Layer Absorbent Layers ）及び１９９１年１月２９日にReising 氏等に付与された米国特許第４，９８８，３４５号（発明の名称：Absorbent Articles with Rapid Acquiring Absorbent Cores ）に記載されている。トップシート２４は、好ましくはプルオン式おむつ２０のウエストバンドパネル６，７及び他の部分に沿って通気設計／方法と両立したものであるのがよい。
【００３８】
好ましい実施形態では、トップシート２４は、表面の湿潤傾向を減少させることができ、その結果、心材２５によって吸収された尿を湿潤後、ユーザの皮膚から遠ざけたまま維持しやすいようにすることができる不織ウェブである。好ましいトップシート材料のうちの１つは、Fiberweb North America, Inc.（米国サウスカロライナ州シンプソンビル所在）からコード番号Ｐ−８として入手できる熱接着されたカーディング済みウェブである。別の好ましいトップシート材料は、日本国所在のHavix Co. からコード番号Ｓ−２３５５として入手できる。この材料は、２層複合材料であり、カーディング及び空気通し法を用いることにより２種類の合成表面活性剤加工済みの二成分繊維で作られている。さらに別の好ましいトップシート材料は、Amoco Fabrics, Inc. （ドイツ国グロナウ所在）からコード番号Profleece Style 040018007 として入手できる熱接着カーディング加工ウェブである。
【００３９】
別の好ましいトップシート２４は、有孔成形フィルムから成る。有孔成形フィルムは、トップシート２４にとって好ましいが、その理由は、これらフィルムは、身体の分泌液に対して浸透性であり、さらに非吸収性であり、しかも液体がこれを通って戻り、着用者の皮膚を再び濡らす傾向が低いからである。かくして、身体と接触状態にある成形フィルムの表面は乾燥したままであり、それにより、身体を汚すのを軽減し、着用者にとって一層快適な肌触りをもたらす。適当な成形フィルムは、１９７５年１２月３０日にThompson氏に付与された米国特許第３，９２９，１３５号（発明の名称：Absorptive Structures Having Tapered Capillaries）、１９８２年４月１３日にMullane 氏等に付与された米国特許第４，３２４，２４６号（発明の名称：Disposable Absorbent Article Having A Strain Resistant Topsheet ）、１９８２年８月３日にRadel 氏等に付与された米国特許第４，３４２，３１４号（発明の名称：Resilient Plastic Web Exhibiting Fiber-Like Properties）、１９８４年７月３１日にAhr 氏等に付与された米国特許第４，４６３，０４５号（発明の名称：Macroscopically Expanded Three-Dimensional Plastic Web Exhibiting Non-Glossy Visible Surface and Cloth-Like Tactile Impression）及び１９９１年４月９日にBaird 氏に付与された米国特許第５，００６，３９４号（発明の名称：Multilayer Polymeric Film ）に記載されている。
【００４０】
バックシート２２は好ましくは、内側バリヤフィルム６８及び及び不織外カバー２３を有している。内側バリヤフィルム６８は好ましくは、液体（例えば、尿）に対して不浸透性であり、好ましくは、薄いプラスチックフィルムから作られる。内側バリヤフィルム６８は、身体向き表面７９及び身体向き表面７９と反対側の外部へ向いた表面７７を有している。より好ましくは、プラスチックフィルムは、蒸気をおむつ２２から逃がすことができる。好ましい実施形態では、微孔質ポリエチレンフィルムが、内側バリヤフィルム６８に用いられる。適当な微孔質ポリエチレンフィルムは、日本国名古屋市所在のMitsui Toatsu Chemicals, Inc. によって製造されていて、商品名Espoir No で市販されている。バックシート２２は好ましくは、通気及び側部シーム設計／方法と両立するものである。さらに、使い捨てテープをバックシートの外面に接合するのがよい。
【００４１】
内側バリヤフィルム６８の適当な材料は、好ましくはポリエチレン又はポリプロピレンを含む厚さが約０．０１２ｍｍ（０．５ミル）〜約０．０５１ｍｍ（２．０ミル）の熱可塑性フィルムである。好ましくは、内側バリヤフィルムの基本重量は、約５ｇ／ｍ２  〜約３５ｇ／ｍ２  である。しかしながら、他の可撓性液体不浸透性材料を用いてもよいことは注目されるべきである。本明細書における「可撓性」という用語は、柔軟性があり、しかも着用者の体の全体的な形状及び輪郭に容易に合致する材料の性質をさしている。プラスチックフィルムは、以下の方法で測定して３，０００〜４，０００ｇ／ｍ２  ／２４時間の水蒸気透過率を有するのがよい。
【００４２】
不織外カバー２３は、内側バリヤフィルム６８の外向き表面に接合されて積層品（即ち、バックシート２２）を形成している。不織外カバー２３は、プルオン式おむつ２０の最も外側の部分のところに位置した状態でおむつ２０の最も外側の部分の少なくとも一部を覆っている。不織外カバー２３を、当該技術分野で知られている任意適当な取付け手段を用いて内側バリヤフィルム６８に接合してもよい。例えば、不織外カバー２３を、一様に連続した接着剤層、パターン化された接着剤層又は接着剤の別々の線、螺旋又はスポットのアレイで内側バリヤフィルム６８に固定してもよい。適当な接着剤としては、日本国大阪府所在のNittaFindley Co., Ltd. からＨ−２１２８として入手できるホットメルト接着剤及び日本国大阪府所在のH. B. Fuller Japan Co., Ltd.からＪＭ−６０６４として入手できるホットメルト接着剤が挙げられる。
【００４３】
好ましい実施形態では、不織外カバー２３は、例えば、日本国岐阜県所在のHavix Co., Ltd.からＥ−２３４１として入手できるカーディング加工不織ウェブである。不織外カバー２３は、ポリエチレン（ＰＥ）及びポリエチレンテレフタレート（ＰＥＴ）から成る二成分繊維で作られている。ＰＥ／ＰＥＴの比は、約４０／６０である。ＰＥ／ＰＥＴ二成分繊維は、２decitex ×５１ｍｍの寸法を有している。別の好ましいカーディング済み不織ウェブは、日本国大阪府所在のChisso Corp.から入手できる。不織外カバー２３は又、ポリエチレン（ＰＥ）及びポリエチレンテレフタレート（ＰＥＴ）から成る二成分繊維で作られる。ＰＥ／ＰＥＴの比は、約３０／７０である。
【００４４】
別の好ましい実施形態では、不織ウェブは、例えば、日本国東京都所在のMitsui Petrochemical Industries. Ltd. から入手できるスパンボンド不織ウェブである。不織ウェブは、ポリエチレン（ＰＥ）外被及びポリプロピレン（ＰＰ）心材から成る二成分繊維で作られている。ＰＥ／ＰＰの比は、約８０／２０である。ＰＥ／ＰＰ二成分繊維の厚さは、約２．３decitex である。
【００４５】
バックシート２２は好ましくは吸収性心材２５の外方に向いた表面に隣接して設けられ、好ましくは当該技術分野で公知の任意適当な取付け手段によってこれに接合されている。例えば、バックシート２２を、一様に連続した接着剤層、パターン化された接着剤層又は接着剤の別々の線、螺旋又はスポットのアレイによって吸収性心材２５に固定するのがよい。満足のゆくものであることが分かった接着剤は、米国ミネソタ州所在のH. B. Fuller Company of St. Paulによって製造され、ＨＬ−１２５８として市販されている。接着剤フィラメントの開放パターンネットワークを含む適当な取付け手段の一例が、１９８６年３月４日にMinetola氏等に付与された米国特許第４，５７３，９８６号（発明の名称：Disposable Waste-Containment Garment）に開示されている。螺旋パターンの状態に巻かれた接着剤フィラメントの数本の線を含む別の適当な取付け手段が、１９７５年１０月７日にSprague, Jr.に付与された米国特許第３，９１１，１７３号、１９７８年１１月２２日にZiecker 氏等に付与された米国特許第４，７８５，９９６号及び１９８９年６月２７日にWerenicz氏に付与された米国特許第４，８４２，６６６号に示された装置及び発明によって示されている。変形例として、取付け手段は、熱接着法、加圧接着法、超音波接着法、動的機械式接着法、或いは当該技術分野で知られているような任意他の適当な取付け手段又はこれら取付け手段の組合せであってもよい。
【００４６】
変形実施形態では、吸収性心材２５は、前側領域２６及び後側領域２８の延伸性又は伸長性を大きくするためにバックシート２２及び（又は）トップシート２４には接合されない。
【００４７】
ゴム入り脚部側折返し部５２は、液体及び他の身体分泌液の封じ込めを向上させる。ゴム入り脚部側折返し部５２は、脚部領域における身体分泌液の漏れを減少させるための幾つかの互いに異なる実施形態を有していてもよい。（脚部側折返し部は、脚部バンド、サイドフラップ、バリヤ折返し部又は弾性折返し部であってよく、そのように呼ばれる場合もある。）米国特許第３，８６０，００３号は、ゴム入り脚部側折返し部（封止折返し部）を形成するようサイドフラップ及び１又は２以上の弾性部材を備えた収縮性脚部通し穴を備えた使い捨ておむつを記載している。１９９０年３月２０日にAziz氏等に付与された米国特許第４，９０９，８０３号（発明の名称：Disposable Absorbent Article Having Elasticized Flaps ）は、脚領域の封じ込めを向上させる「直立形」ゴム入りフラップ（バリヤ折返し部）を備えた使い捨ておむつを記載している。１９８７年９月２２日にLawson氏に付与された米国特許第４，６９５，２７８号（発明の名称：Absorbent Article Having Dual Cuffs ）及び１９８９年１月３日にDragoo氏に付与された米国特許第４，７９５，４５４号（発明の名称：Absorbent Article Having Leakage-Resistant Dual Cuffs ）は、封止折返し部及びバリヤ折返し部を含む二重折返し部を備えた使い捨ておむつを記載している。１９８７年１１月３日にBuell 氏に付与された米国特許第４，７０４，１１５号（発明の名称：Disposable Waist Containment Garment）は、衣料品内に自由液体を封じ込めるように構成された側部−縁部−漏れ−ガード溝を備えた使い捨ておむつ又は失禁用衣料品を開示している。
【００４８】
各ゴム入り脚部側折返し部５２を、上述した脚バンド、サイドフラップ、遮断折返し部又は弾性折返し部のうちの任意のものと類似するよう構成するのがよいが、各ゴム入り脚部側折返し部５２は、上述の米国特許第４，９０９，８０３号に記載されているようなバリヤフラップ５６及び間隔保持手段５８（図５に示されている）から成る内側バリヤ折返し部５４を有することが好ましい。内側バリヤ折返し部５４は、不透過性が高いが、好ましくは呼吸性であるインサート要素を有するのがよい。好ましい実施形態では、ゴム入り脚部側折返し部５２は、例えば上述の米国特許第４，６９５，２７８号及び第４，７９５，４５４号に記載されたバリヤ折返し部５４の外部に位置決めされた位置以上の弾性ストランド６４付きの弾性封止折返し部６２を更に有する。弾性ストランド６４は全体が脚部フラップパネル４内に収納されていて、予め引っ張られた状態で任意適当な手段、例えばホットメルトグルーによってこれに接合されている。弾性ストランド６４を、接合前に、約３０％〜２００％まで、好ましくは５０％〜１５０％まで予め引っ張るのがよい。好ましい弾性ストランド６４は、Fulflex InternationalCompany によって商品名９３１２として製造されている。
【００４９】
プルオン式おむつ２０は、前側伸長性耳部４６及び後側伸長性耳部４８を有している。図４を参照すると、伸長性耳部４６，４８は好ましくは、側部エラストマー材料１２４を備えた側部弾性部材７０（図６参照）、不織外カバー２３の側部延長部分２３Ｃと、内側バリヤ折返し部５４の延長部分７２とを有している（ただし、図４は、前側領域２６内の構造部材のみを示しており、好ましくは、後側領域２８内の構造部材は、前側領域２６内の構造部材と同一又は実質的に同一である）。好ましくは、前側耳パネル４６と後側耳パネル４８のうち少なくとも一方は、少なくとも側方に弾性的に伸長可能である。より好ましくは、前側耳パネル４６と後側耳パネル４８は共に、少なくとも側方に弾性的に伸長可能である。変形実施形態では、耳パネル４６，４８は、側方と長手方向の両方向に弾性的に伸長可能である。本明細書において用いられる「伸長可能（又は伸長性）」という用語は、過度の破断を生じることなく少なくとも一方向に或る程度引き伸ばすことができる材料を形容するものとする。本明細書において用いられる「弾性」及び「弾性的に伸長可能な」という用語は、材料を引き伸ばしている力を除いた後にほぼ元の寸法に戻ることができる引き伸ばし可能な材料を形容するものとする。本明細書では、「伸長可能な（又は伸長性〕」と形容される任意の材料又は要素も又、別段の指定がなければ、弾性的に伸長可能である。伸長可能な耳パネル４６，４８は、まず最初にプルオン式おむつを着用者に快適にフィットさせ、そしてプルオン式おむつが分泌液を保持した後十分時間が経っても着用期間全体を通じてこのフィット感を維持することにより一層快適且つ身体にぴったりとしたフィット感をもたらす。というのは、耳パネル４６及び（又は）耳パネル４８により、プルオン式衣料品の側部が伸縮できるからである。
【００５０】
伸長可能な耳部４６，４８は好ましくは呼吸性を備えている。耳パネルの水蒸気透過率は、プルオン式おむつの残部の総水蒸気透過率との関連で、高温多湿条件と関連した熱による発疹及び他の皮膚に関する問題の発生を減少させる上で重要である。プルオン式おむつ内の湿度及び熱による湿度を減少させるために、伸長性耳部４６，４８は好ましくは、少なくとも約２３ｇ／ｍ２  ／２４時間、より好ましくは、少なくとも４，０００ｇ／ｍ２  ／２４時間の重みつき平均質量蒸気透過率を有している。好ましくは、プルオン式おむつ全体の重みつき平均質量蒸気透過率は、少なくとも２，０００ｇ／ｍ２  ／２４時間〜約８，０００ｇ／ｍ２  ／２４時間である。
【００５１】
水蒸気透過率は、以下に説明する方法によって測定される。既知の量のＣａＣｌ２  フランジ付きカップ内へ入れる。試料をカップの頂部上に配置した状態で保持リング及びガスケットによってしっかりと保持する。次に、この集成物を秤量し、初期重量として記録する。集成物を一定温度（４０℃）及び湿度（７５％ＲＨ）の室内に５時間置く。次に、集成物を室から取り出し、残部を配置した室の温度に少なくとも３０分間かけて平衡させる。次に、集成物を秤量し、最終重量として記録する。質量蒸気透過量（ＭＶＴＲ）を計算し、以下の公式を用いてｇ／ｍ２  ／２４時間の単位で表す。
【００５２】
【数１】
0004767419.tif 000002
図３を参照すると、側部弾性部材７０を有する伸長性耳部４６は、上方の端縁（端部エッジという場合もある）４６Ａ、下方の端縁４６Ｂ、内側の側縁（側部エッジという場合もある）４６Ｃ及び外側の側縁４６Ｄを有している。側部弾性部材７０を有する後側伸長性耳部４８は、上方端縁４８Ａ、下方端縁４８Ｂ、内側側縁４８Ｃ及び外側側縁４８Ｄを有している。前側領域２０内の各要素、部分、部品等の形態は後側領域２８のものと異なっていてよいが（例えば、前側伸長性耳部４６の形態と後側伸長性耳部４８の形態、或いは下方端縁４６Ｂの形態と下方端縁４８Ｂの形態）、説明を簡単にするために、前側領域２６及び後側領域２８内において互いに対応した要素、部分、部品等を同時に説明する。
【００５３】
好ましい実施形態では、耳パネル１０，１１は、側部弾性材料７０によって伸長性耳部４６，４８を形成するよう耳パネル１０，１１の領域全体で伸長可能にされる。図３に示す実施形態では、側部弾性部材７０は、シームパネル１２，１３の一部内へ延びていて、前側伸長性耳部４６及び後側伸長性耳部４８がシーム３２のところで互いに固定され、前側領域２６内の側部弾性部材７０と後側領域２８内の側部弾性部材７０がシーム３２のところで固定されるようになっている（図４は又、シームパネル１２，１３内へ延びる側部弾性部材７０を示している、ただし、シームパネル１２，１３は図４には示されていない）。変形例として、耳パネル１０，１１を耳パネル１０，１１内の領域の一部だけ伸長可能にしてもよい。伸長性耳部４６，４８は、側部弾性部材７０を接合して機械的な引き伸ばしを行うことにより耳パネル１０，１１の一部を伸長可能にした部分である。
【００５４】
好ましい実施形態では、内側側縁４６Ｃ，４８Ｃは、全体的にプルオン式おむつ２０の長手方向中心線１００に沿って延びている。外側側縁４６Ｄ，４８Ｄは、内側側縁４６Ｃ，４８Ｃに対して平行ではなく、長手方向中心線１００に対しても並行ではない。外側側縁４６Ｄ，４８Ｄは、下方端縁４６Ｂ，４８Ｂの近くで側方外方に突出している。したがって、内側側縁４６Ｃ，４８Ｃから見て遠くに位置した外側側縁４６Ｄ，４８Ｄは、下方端縁４６Ｂ，４８Ｂの近くに位置している。
【００５５】
伸長性耳部４６，４８は、内側側縁４６Ｃ，４８Ｃと下方端縁４６Ｂ，４８Ｂの近くの外側側縁４６Ｄ，４８Ｄとの間の横方向幅Ｌ１及び内側側縁４６Ｃ，４８Ｃと上方端縁４６Ａ，４８Ａの近くの外側側縁４６Ｄ，４８Ｄとの間の横方向幅Ｌ２を有している。内側側縁と外側側縁との間の横方向幅は、長手方向中心線１００に垂直な横方向における内側側縁４６Ｃ，４８Ｃと外側側縁４６Ｄ，４８Ｄとの間の幅である。したがって、内側側縁と外側側縁との間の横方向幅は、内側側縁４６Ｃ，４８Ｃと外側側縁４６Ｄ，４８Ｄが長手方向に同一の広がりを持つ範囲Ｒ内にある。
【００５６】
横方向幅Ｌ１は横方向幅Ｌ２よりも大きく、したがって、伸長性耳部４６，４８の側方における利用可能なエラストマー材料の量は、上方端縁４６Ａ，４８Ａの近くよりも下方端縁４６Ｂ，４８Ｂの近くの方が多い。外側側縁４６Ｄ，４８Ｄが下方端縁４６Ｂ，４８Ｂの近くで側方外方に突出しているので、下方端縁４６Ｂ，４８Ｂの近くで使って利用可能なエラストマー材料の量は、上方端縁４６Ａ，４８Ａの近くでの利用可能なエラストマー材料の量を減少させることなく多くなる。さらに、利用可能なエラストマー材料の量は、上方端縁４６Ａ，４８Ａから下方端縁４６Ｂ，４８Ｂに向かう方向に変化している。というのは、伸長性耳部４６，４８の横方向幅は、その方向において次第に変化しているからである。この結果、伸長性耳部全体にわたって力の変化又は力の勾配が得られ、個別的にフィットさせることができる。内側側縁４６Ｃ，４８Ｃも又、長手方向中心線１００に対して並行でなくてもよく、下方端縁４６Ｂ，４８Ｂの近くで側方内方に突出して横方向幅Ｌ１が横方向幅Ｌ２よりも一段と大きくなるようになっている。変形例として、内側側縁４６Ｃ，４８Ｃは、下方端縁４６Ｂ，４８Ｂの近くで側方外方にわずかに突出して、横方向幅Ｌ１が横方向幅Ｌ２よりも依然として大きいものであるようになっているのがよい。
【００５７】
伸長性耳部パネル４６，４８を、プルオン式おむつ２０の一体形要素で形成するのがよい（即ち、これら耳パネルは、プルオン式おむつ２０に固定された別々に操作される要素ではなく、プルオン式おむつの種々の層の１又は２以上から形成されると共にその延長部をなしている）。好ましい実施形態では、伸長性耳パネル４６，４８は、シャシ４１の一部を形成すると共に伸長性耳パネル４６，４８内に連続的に延びる少なくとも１つの一体要素又は連続シート（例えば、シャシ層４０）を有している。変形例として、伸長性耳パネル４６，４８は、一体要素を有していないが、この場合も又、シャシ４１の一部を形成している別々の部材（図示せず）を有するだけでもよい。かかる伸長性耳パネル４６，４８を形成するには、別々の部材をシャシ４１の対応の側部に接合するのがよい。
【００５８】
側部弾性部材７０は、伸長性耳部４６，４８の領域では、内側バリヤ折返し部５４の延長部分７２と不織外カバー２３の側部延長部分２３Ｃ，２３Ｄとの間に配置されている。側部弾性部材７０は、内側バリヤ折返し部５４の延長部分７２及び不織外カバー２３の側部延長部分２３Ｃ，２３Ｄのうち少なくとも１つに操作的に接合される。好ましくは、側部弾性部材７０は、実質的に張力が加えられていない（歪みゼロ）条件にある間に、内側バリヤ折返し部５４の延長部分７２と不織外カバー２３の側部延長部分２３Ｃ，２３Ｄの両方に作動的に接合される。
【００５９】
側部弾性部材７０を内側バリヤ折返し部５４及び不織外カバー２３に操作的に接合するには、断続的な結合（又は、接合）形態又は実質的に連続した結合形態のいずれかを用いるのがよい。本明細書において「断続的に」結合した積層ウェブという用語は、プライが別々の互いに間隔を置いた位置で互いに最初に結合された積層ウェブ又はプライが別々の互いに間隔を置いた領域で互いに実質的に接合されていない積層ウェブのことである。逆に、「実質的に連続して」結合した積層ウェブは、プライが当初、インタフェースの領域全体にわたり互いに実質的に連続的に接合されている積層ウェブを意味している。ストレッチ積層品をストレッチ積層品全体にわたり又はその重要な部分に結合して非弾性ウェブ（即ち、内側バリヤ折返し部５４及び不織外カバー２３の不織ウェブ）が破断を生じることなく伸び又は縮むことが好ましく、ストレッチ積層品の層は好ましくは、ストレッチ積層品の層のすべてを歩進形機械式延伸作業の実施後に互いに比較的ぴったりとくっついた状態に保つ形態で結合する。その結果、ストレッチ積層品の弾性パネル部材及び他のプライは、好ましくは、接着剤を用いて実質的に連続的に互いに結合される。
【００６０】
特に好ましい実施形態では、選択した接着剤は、約０．１１６ｇ／ｍ２  の基本重量で螺旋パターン（例えば、米国特許第３，９１１，１７３号（Sprague, Jr.氏）及び米国特許第４，８４２，６６６号（Werenicz氏）に示されている）で塗布される。螺旋の幅は、約１．９ｃｍ（０．７５インチ）であり、いずれも互いにすぐ隣に位置した状態で又は僅かに（２ｍｍ未満）オーバーラップして設けられる。接着剤は好ましくは、例えばFindley Adhesives 社からＨ２１２０という商品名で入手できるような接着剤である。変形例として、ストレッチ積層品の側部弾性パネル部材及び任意他の構成部品を、熱接着、加圧接着、超音波接着、動的機械式結合又は当該技術分野で知られているような任意他の方法を用いて互いに断続的に又は連続的に結合できる。
【００６１】
側部弾性部材７０を内側バリヤ折返し部５４の延長部分７２及び不織外カバー２３の側部延長部分２３Ｃ，２３Ｄに操作的に接合した後、次に、結果的に得られる複合ストレッチ積層品の少なくとも一部に、例えば内側バリヤ折返し部５４の延長部分７２及び不織外カバー２３の側部延長部分２３Ｃ，２３Ｄである非弾性構成部品を永続的に伸長させるのに十分な機械的な延伸作用を及ぼす。すると、複合ストレッチ積層品は、実質的に張力が加えられていない状態に戻るようになる。かくして、伸長性耳パネル４６，４８を「歪ゼロ（０）」ストレッチ積層品の状態に形成する。（変形例として、側部弾性部材７０を張力を加えた条件下で操作的に接合し、次に機械的な延伸作用を及ぼしてもよい。）本明細書における「歪ゼロ」ストレッチ積層品は、材料の少なくとも２枚のプライを、実質的に張力が加わっていない（「歪ゼロ」）状態でこれらの同一平面上に広がる表面の少なくとも一部に沿って互いに固定して構成された積層品をさしており、この場合、プライのうち一方は、伸縮自在であってゴム弾性がある材料で作られ（即ち、加えた引張力を除いた後にその張力の加えられていなかった寸法に実質的に戻ることになる）、第２のプライは伸長可能であり（しかしながら、必ずしもゴム弾性をもつ必要はない）、したがって延伸の際、第２のプライが少なくとも或る程度永続的に伸長して、加えた引張力を除くと、その元の変形していない形態に完全には戻らないようになっている。それにより、結果的に得られるストレッチ積層品は、当初の延伸方向において少なくとも初期延伸程度まで弾性的に伸長できるようになっている。
【００６２】
ストレッチ積層品を製造するのに用いられる特に好ましい方法及び装置は、構成部品を機械的に延伸させる相互噛み合い式波形ロール又はプレートを利用しており、１９９２年１２月１日にWeber 氏等に付与された米国特許第５，１６７，８９７号、１９９０年１０月２０日にBuell 氏等に付与された米国特許第５，１５６，７９３号、１９９２年９月１日にWeber 氏等に付与された米国特許第５，１４３，６７９号、１９９８年５月７日に出願された欧州特許出願第９８１０８２９０．２号（発明の名称：Method and Apparatus for Activating & Moving Web；発明者：Christoph J. Schmitz 氏等）に開示されている。
【００６３】
側部弾性部材７０は好ましくは、図４に示すような接着剤７６により内側バリヤフィルムの側部６８Ｂに接合され、より好ましくはこれに直接固定される。好ましい実施形態では、側部弾性部材７０は、外部向き表面７７のところで内側バリヤフィルム６８の側部６８Ｂに接合されている。変形実施形態では、側部弾性部材７０を身体向き表面７９のところで内側バリヤフィルム６８の側部６８Ｂに接合してもよい。好ましくは、接着剤７６をビードとして塗布する。接着剤７６を螺旋状に塗布してもよい。好ましい実施形態では、接着剤７６は、非晶質結晶化成分を備えた可撓性接着剤である。かかる好ましい接着剤は、Findley Adhesive CompanyからＨ９２２４という商品名で市販されている。変形例として、側部弾性部材７０を、当該技術分野で知られている任意他の結合手段によって内側バリヤフィルム６８の側部６８Ｂに接合してもよく、かかる結合手段としては、熱接着法、加圧接着法、超音波接着法、動的機械式接着法、或いはこれら取付け手段の組合せが挙げられる。
【００６４】
伸長性耳部４６，４８に用いられる側部弾性部材７０は、図６を参照すると側部エラストマー材料１２４から成っている。側部弾性部材７０は、第１のカバー素材層１２２及び第２のカバー素材層１２６のうち一方、好ましくはこれら両方を更に有するのがよい。変形例として、側部弾性材料７０は、追加の層を全く備えていなくてもよい。
【００６５】
側部エラストマー材料１２４は、第１の表面１５０及び第１の表面１５０と反対側の第２の表面１５２を有し、第１のカバー素材層１２２が、側部エラストマー材料１２４の第１の表面１５０に接合されている。好ましい実施形態では、第１のカバー素材層１２２は、接着剤によってエラストマー材料１２４の第１の表面１５０に接合されている。より好ましくは、側部弾性材料７０は、接着剤１６４によって側部エラストマー材料１２４の第２の表面１５２に接合された第２のカバー素材層１２６を更に有している。側部弾性材料１２４は、着用者の横腹部領域に最適な保持（又は維持）力を生じさせることにより、良好なフィット感をもたらす。好ましくは、側部エラストマー材料１２４は、着用者の皮膚に望ましくない赤マークを生じさせることなく、プルオン式おむつ２０が胴体上のその定位置から垂れ落ちたり、ずり落ちたり、或いは滑り落ちるのを防止するのに最適な保持（又は維持）力を生じさせるよう少なくとも１つの方向、好ましくは、横方向にベクトル成分を持つ方向に伸長可能である。
【００６６】
側部エラストマー材料１２４を多種多様なサイズ、形態及び形状で作ることができる。好ましい実施形態では、側部エラストマー材料１２４は、連続した平らな層の形態である。連続した平らな層の好ましい形態としては、スクリム、有孔（孔が形成された）フィルム、エラストマー織物又は不織物等が挙げられる。変形実施形態では、側部エラストマー材料１２４は、連続した平らな層を形成するよう互いに連結されていない別個独立のストランド（又は、糸）の形態である。連続した平らな層は、耳パネル内に直接に設けることができる形状であれば任意のものであってよい。連続した平らな層の好ましい形態としては、矩形及び正方形を含む四辺形、台形及び他の多角形が挙げられる。
【００６７】
側部エラストマー材料１２４に特に適していることがわかったエラストマー材料は、厚さが約０．０５ｍｍ〜約１．０ｍｍ（０．００２インチ〜０．０３９インチ）のスチレン系ブロック共重合体を主成分とするスクリム材料、有孔（即ち、孔が設けられた）弾性フィルムである。側部エラストマー材料１２４の他の適当なエラストマー材料としては、「生の」合成又は天然ゴム、他の合成又は天然ゴムフォームエラストマーフィルム（熱収縮性エラストマーフィルムを含む）、エラストマー織ウェブ又は不織ウェブ、エラストマー複合材等が挙げられる。
【００６８】
側部エラストマー材料１２４の伸長特性、例えば、１００％伸び率における第１サイクル伸長力（ＦＣＥＦ１００％）、２００％伸び率における第１サイクル伸長力（ＦＣＥＦ２００％）、５０％伸び率における第２サイクル回復力（ＳＣＲＦ５０％）及び１０〜１２時間後における５０％長期荷重が使い捨て医療品の性能において重要な検討事項である。側部エラストマー材料１２４は好ましくは、本明細書で定義する範囲内の伸長特性を有する。ＦＣＥＦ１００％及びＦＣＥＦ２００％は、使い捨て医療品の着脱中における全体的な知覚される「延伸具合」の尺度である。これら２つの特性は又、適度の装着延伸度を達成するアプリケータの能力に影響を及ぼす。ＦＣＥＦ１００％及びＦＣＥＦ２００％が比較的高い側部エラストマー材料１２４は、使い捨て医療品を着用者に装着する際に困難を生じさせる場合がある。他方、ＦＣＥＦ１００％及びＦＣＥＦ２００％が比較的低い側部エラストマー材料１２４は、適度の身体フィット具合／快適さを達成できない。ＳＣＲＦ５０％も又、着用者にとっての使い捨て医療品の身体フィット具合／快適さに密接に関連している。比較的高いＳＣＲＦ５０％を持つ側部エラストマー材料１２４は、着用者の皮膚に赤マークを生じさせがちであり、使用中、着用者にとって不快感を生じる場合がある。比較的低いＳＣＲＦ５０％を持つ側部エラストマー材料１２４は、おむつを着用者上の定位置に保持するのに十分な弾性力を生じさせることができず、或いは良好な身体フィット具合をもたらすことができない。５０％長期荷重は、経時的な力の減少度を評価する。これは、制限されるべきであり、そうでなければ結果的に相当程度のずり落ちが生じることになる。
【００６９】
ＦＣＥＦ１００％、ＦＣＥＦ２００％及びＳＣＲＦ５０％の値を、引張試験機を用いることにより測定できる。引張試験機は、上ジョー及び上ジョーの下に位置した下ジョーを有している。上ジョーは可動であり、伸長力測定手段に連結されている。下ジョーは、デスク（又はフロア）上に固定されている。幅が約２．５４ｃｍ（１．０インチ）、長さが約１２．７５ｃｍ（５インチ）の試験片（即ち、測定対象のエラストマー材料）を準備し、上ジョーと下ジョーとの間にクランプし、有効試験片長さ（Ｌ）（即ち、ゲージ長）が約２．５４ｃｍ（１．０インチ）になるようにする。伸長力を上ジョーを介して試験片に加える。試験片に伸長力を加えない場合、試験片は、その張力は加えられていない長さの状態にある。本発明に用いられるのに適した引張試験機は、Instron Cooperation （米国マサチューセッツ州０２１２１キャントン・ロイヤルストリート１００所在）からコード番号Instron 5564として入手できる。
【００７０】
好ましい実施形態では、側部エラストマー材料１２４のＦＣＥＦ１００％は少なくとも約１００ｇ／インチである。より好ましくは、ＦＣＥＦ１００％は、約１２０〜約２２０ｇ／インチであり、最も好ましくは、約１５０ｇ／インチ〜１９０ｇ／インチである。ＦＣＥＦ２００％は好ましくは、約１６０ｇ／インチ〜約４５０ｇ／インチであり、より好ましくは、約１８０ｇ／インチ〜約３００ｇ／インチであり、更により好ましくは約２００ｇ／インチ〜約２４０ｇ／インチである。側部エラストマー材料１２４のＳＣＲＦ５０％は好ましくは、約４０ｇ／インチ〜約１３０ｇ／インチであり、より好ましくは、約６５ｇ／インチ〜約１０５ｇ／インチであり、更により好ましくは約７５ｇ／インチ〜約９５ｇ／インチである。５０％長期荷重は好ましくは、約４０ｇ／インチ〜約１３０ｇ／インチ、より好ましくは約６５ｇ／インチ〜約１０５ｇ／インチ、更により好ましくは約７５ｇ／インチ〜約９５ｇ／インチである。
【００７１】
図６に示す好ましい実施形態では、エラストマースクリム１２４は、複数の第１のストランド１２５及び複数の第２のストランド１２７を有している。複数の第１のストランド１２５は、結び目又は結節点１３０のところで所定の角度αをなして複数の第２のストランド１２７と交差していて、複数の孔１３２を有する網状の開放構造を形成している。各孔１３２は、少なくとも２つの隣り合う第１のストランド及び少なくとも２つの隣り合う第２のストランドで形成されており、孔１３２は形状が実質的に矩形になっている。孔１３２の他の形状、例えば、平行四辺形、正方形又は扇形も又、利用できる。好ましくは、第１のストランド１２５及び第２のストランド１２７は、実質的に真っ直ぐであって互いに実質的に平行である。好ましくは、第１のストランド１２５は、結び目１３０のところで第２のストランド１２７と角度αが約９０°であるように交差する。第１のストランド１２５及び第２のストランド１２７は好ましくは結び目９０のところで接合又は結合されている。好ましいエラストマースクリム１２４が、Conwed Plastics Company により商品名ＸＯ２５１４として製造されている。この材料は、構造方向Ｂにおいて１インチ当たり約１２本の弾性ストランド（即ち、第１のストランド１２５）及び構造方向Ｄにおいて１インチ当たり約７本の弾性ストランド（即ち、第２のストランド１２７）を有している。
【００７２】
別の実施形態では、エラストマー材料１２４は、多孔質であって肉眼で見えるほどに発泡させた３次元エラストマーウェブである。かかる構造及びその製造方法の詳細は、１９９７年３月１４日に出願された米国特許出願第０８／８１６，１０６号に開示されている。好ましい多孔質エラストマー材料は、Tredegar Film Productsから商品名Ｘ−２５００７として入手できる。アパーチュアは任意所望の形状であるのがよい。好ましくは、アパーチュアは、互いに垂直な長軸と短軸を備えた形状のもの、例えば楕円形の形をしており、長軸は好ましくは、印加した歪み誘起応力とほぼ直交して差し向けられている。
【００７３】
図６に示す実施形態では、側部エラストマー部材７０は、第１のカバー素材層１２２、第２のカバー素材層１２６及び第１のカバー素材層１２２と第２のカバー層１２６に設けられた側部エラストマー材料１２４を有している。第１のカバー素材層１２２は、内面１４２及び外面１４４を有している。第１のカバー素材層１２２の内面１４２は、側部エラストマー材料１２４に向いた状態で配置されている表面である。第２のカバー素材層１２６も又、内面１４６及び外面１４８を有している。第２のカバー素材層１２６の内面１４６は、側部エラストマー材料１２４に向いた状態で位置した表面である。側部エラストマー材料１２４は、２つの平らな表面、即ち第１の表面１５０及び第２の表面１５２を更に有しており、これら表面は各々、第１のカバー素材層１２２及び第２のカバー素材層１２６の平面と実質的に平行である。第１の表面１５０は、第１のカバー素材層１２２の内面１４２に最も近くに隣接して位置した側部エラストマー材料１２４の平らな表面である。第２の表面１５２は、第２のカバー素材層１２６の内面１４６に最も近くに隣接して位置した側部エラストマー材料１２４の平らな表面である。
【００７４】
側部弾性部材７０は使用前後に機械的な延伸作業を受けることになるので、第１のカバー素材層１２２及び第２のカバー素材層１２６は、比較的高い破断点伸び率を有することが必要であり、好ましくは、甚だしい引裂き又はリップルを生じることなく（好ましくは引裂き又はリップルが全く生じること無く）、一層延伸可能又は伸長可能であり、さらに好ましくは引き伸ばし可能である（しかしながら、必ずしもゴム弾性である必要はない）。さらに、第１のカバー素材層１２２及び第２のカバー素材層１２６は好ましくは、しなやかであり且つソフトな肌触りであって、しかも着用者の皮膚に対して刺激がなく、物品に布製衣料品の肌触り及び快適さを与えている。第１及び第２のカバー素材層１２２，１２６の好適な材料を、多種多様な材料、例えば、プラスチックフィルム、有孔プラスチックフィルム、天然繊維（例えば、木材又は綿の繊維）の織りウェブ又は不織ウェブ、合成繊維（例えば、ポリオレフィン、ポリアミド、ポリエステル、ポリエチレン又はポリプロピレン繊維）、又は天然及び（又は）合成繊維の組合せ或いは、コーティングが施された織りウェブ又はコーティングが施された不織ウェブから製造できる。
【００７５】
好ましくは、第１及び第２のカバー素材層１２２，１２６は、それぞれ、同一の不織材料である。例示の好ましい不織材料はFiberWeb Companyによって基本重量が１８〜３５ｇ／ｍ２  のＤＡＰＰ−Ｓテックスという商品名で製造されている。不織材料は、圧密化されたものであっても、圧密化されていないものであってもよい。好ましくは、不織材料は、エラストマースクリムにカバー素材層を用いることができるよう圧密化される。この材料の基本重量は、圧密化前においては１８〜３５ｇ／ｍ２  であり、圧密化後においては、約４０〜７０ｇ／ｍ２  である。本明細書で用いる「基本重量」という用語は、平らなウェブ材料の単位面積当たり、この場合、１ｍ２当たりの重量である。変形例として、引張性の高い不織材料を用いてもよい。変形例として、第１及び第２のカバー素材層１２２，１２６は、所望の性能上の要件、例えば、弾性に関する性能、ソフトさ、可撓性、呼吸性及び耐久性に関する要件を満足する限り、同一材料のものである必要はない。本明細書において用いられる「圧密化不織材料」という用語は、構造方向Ｄにおいて機械的引張力を受けた状態で集められ又は絞られて小さな力で構造方向Ｄに伸長できる不織材料を意味している。
【００７６】
図１を参照するとプルオン式おむつ２０は、連続した伸長性の腰部側特徴部６０を更に有している。連続伸長性腰部側特徴部６０は、フィット具合を向上させ、着用を容易にし、しかも封じ込めを容易にする。連続伸長性腰部側特徴部６０は、弾性的に伸長可能であり、着用者の腰に動的にフィットするよう縮むようになったプルオン式おむつ２０の部分又は帯域である。連続伸長性腰特徴部６０は、ウエストバンドパネル６，７に沿って延びている。好ましくは、連続伸長性腰特徴部６０は、２つの別々の要素、即ち、前側領域２６内に設けられた一方の連続伸長性ウエストバンド５７及び後側領域２８内に設けられた他方の連続性伸長ウエストバンド５９を有している。ただし、他のプルオン式おむつを単一の連続伸長性ウエストバンドを備えた状態で構成してもよい。
【００７７】
図５も参照すると、連続伸長性ウエストバンド５７，５９は、好ましくは、腰エラストマー材料２００を備えた腰部弾性部材８０（図６に示す）及び吸収性心材２５と関連して設けられた複数の層、例えば、トップシート２４及びバックシート２２のうち少なくとも一方の延長部分を有している（ただし、図５は、前側領域２６内の構造部材のみを示し、好ましくは、後側領域２８内の構造部材は、前側領域２６内の構造部材と同一又は類似している）。好ましくは、連続伸長性ウエストバンド５７，５９は、少なくとも側方に、より好ましくは、側方と長手方向の両方向に弾性的に伸長できる。好ましい実施形態では、ウエストバンドパネル６，７は、腰部弾性部材８０によって連続伸長性ウエストバンド５７，５９を形成するようウエストバンドパネル６，７の少なくとも側方長さ全体において伸長可能になっている。
【００７８】
図３に示す実施形態では、腰部弾性部材８０はシームパネル１２，１３内へ延びて連続伸長性ウエストバンド５７及び連続伸長性ウエストバンド５９がシーム３２のところで互いに固定され前側領域２６内の腰部弾性材料８０及び後側領域２８内の弾性材料８０がシーム３２のところで固定されるようになっている（図５は又、シームパネル１２，１３内へ延びる腰部弾性材料８０を示しており、ただし、シームパネル１２，１３は図５には示されていない）。連続伸長性ウエストバンド５７，５９は、図１に示すようにプルオン式おむつ２０の組立形態では一つの連続伸長性腰部側特徴部６０を形成している。
【００７９】
連続伸長性ウエストバンド５７，５９をプルオン式おむつ２０の一体要素で形成するのがよい（即ち、これらは、プルオン式おむつ２０に固定された別々に扱える要素ではなく、プルオン式おむつの種々の層の１以上のものから作られると共にこれらの延長部分である）。好ましい実施形態では、連続伸長性ウエストバンド５７，５９はそれぞれ、シャシ４１の突出部材から成っている。好ましくは、連続伸長性ウエストバンド５７，５９は、シャシ４１の一部を形成し、連続伸長性ウエストバンド５７，５９内へ連続的に延びる少なくとも１つの一体型要素又は連続シート材料を有している。変形例として、連続伸長性ウエストバンド５７，５９は、シャシ４１の一部を形成する任意の一体要素を備えていない別個独立の部材であってもよい。連続伸長性ウエストバンド５７，５９を形成するのに、これら別個独立の部材をシャシ４１の腰部側部分に接合してもよい。
【００８０】
連続伸長性ウエストバンド５７，５９は、腰部弾性部材８０及び吸収性心材２５と関連して設けられた複数の層、例えばトップシート２４及びバックシート２２のうち少なくとも一方の延長部分を有している。追加の層、例えば、内側バリヤ折返し部５４又は追加の液体吸収組織層を吸収性心材２５と連携して付加すると、追加の層は、連続伸長性ウエストバンド５７，５９の一部を形成することができる。図７に示す好ましい実施形態では、連続伸長性ウエストバンド５７の側部５７Ｂは、内側バリヤ折返し部５４の延長部分７２と、不織外カバー２３の端部延長部分２３Ａと、腰部弾性部材８０の側部とを積層したものである。伸長性ウエストバンド５７の中央部分５７Ａは、トップシート２４の端部延長部分２４Ａと、不織外カバー２３の端部延長部分２３Ａと、腰部弾性部材８０の中央部分とを積層したものである（ただし、図５は、前側領域２６の構造部材のみを示しており、好ましくは、後側領域２８の構造部材は、前側領域２６の構造部材と同一又は類似している）。しかしながら、この実施形態では、内側バリヤフィルム６８は、連続伸長性ウエストバンド５７内へは延びていない。変形例として、内側バリヤ折返し部５４、トップシート２４及び（又は）不織外カバー２３が、連続伸長性ウエストバンド５７内へ延びないようにしてもよい。内側バリヤ折返し部５４の延長部分７２もまた、連続伸長性ウエストバンド５７内へは延びないのがよい。トップシート２４と不織外カバー２３の両方が連続伸長性ウエストバンド５７内へ延びなければ、連続伸長性ウエストバンド５７は、内側バリヤフィルム６８の延長部分と、腰部弾性部材８０とから成るのがよい。
【００８１】
腰部弾性部材８０は、プルオン式おむつ２０の身体向き表面の一部の上に位置している。腰部弾性部材８０を、内側バリヤ折返し部５４の延長部分７２、不織外カバー２３の端部延長部分２３Ａ及びトップシート２４の端部延長部分２４Ａに作動的に接合することができる。腰部弾性部材８０をこれらに作動的に接合するには、不連続又は途切れ途切れの結合形態又は実質的に連続した結合形態の何れを用いてもよい。特に好ましい実施形態では、選択した接着剤を約０．１１６ｇ／ｍ２  の基本重量において螺旋パターン（例えば、米国特許第３，９１１，１７３号（Sprague, Jr.）及び米国特許第４，８４２，６６５号（Werenicz））で塗布する。螺旋の幅は約１．９ｃｍ（０．７５インチ）であり、かかる螺旋を互いにすぐ隣り合わせに位置した状態で又は僅かに（２ｍｍ未満）オーバーラップして配置する。接着剤は好ましくは、例えば、Findley Adhesives 社からＨ２１２０という商品名で入手できる接着剤である。変形例として、ストレッチ積層品の腰部弾性部材又は任意他の構成要素を熱接着（ヒートシール）、加圧接着、超音波接着、動的機械接着又は当該技術分野で知られている任意他の方法を用いて互いに断続的に又は連続的に接着してもよい。
【００８２】
腰部弾性部材８０の非引張状態における長さ（以下、「非引張状態長さ」という）全体は好ましくは、左及び右内側バリヤ折返し部５４の延長部分７２、トップシート２４の端部延長部分２４Ａ及び不織外カバー２３の端部延長部分２３Ａに操作的に接合される前に、側方に予め引っ張られる。腰部弾性部材８０の非引張状態長さ全体を、シャシ４１のウエストバンドパネル６，７の少なくとも元の長さ（原長）まで側方に予め引っ張る。腰部弾性部材８０の非引張状態長さ全体をシームパネル１２，１３の一部内へ延びるよう一段と予め引っ張ってもよい。この実施形態では、シャシ４１のウエストバンドパネル６，７は、左及び右内側バリヤ折返し部５４の延長部分７２、トップシート２４の端部延長部分２４Ａ及び不織外カバー２３の端部延長部分２３Ａを有している。
【００８３】
本明細書で用いる「原長」という用語は、弾性的に伸長可能状態にする前及び恒久的に機械の作用で引き伸ばす前の単一材料又は複合材料の長さを意味している。本明細書で用いる「予備引張状態長さ全体」という用語は、弾性材料の長さの一部又は全体が側方に予め引っ張られた条件の下における弾性材料の全長を意味している。
【００８４】
この実施形態では、ウエストバンドパネル６，７の原長は、腰部弾性部材８０を左及び右内側バリヤ折返し部５４の延長部分７２及びトップシート２４の端部延長部分２４Ａに接合する前の組合せ形態ではこれらの長さの合計とほぼ同じである。ウエストバンドパネル６，７の原長も又、腰部弾性部材８０を不織外カバー２３の端部延長部分２３Ａに接合する前のこの端部延長部分２３Ａの長さとほぼ同一である。腰部弾性部材８０は、好ましくは、その非引張状態（即ち、張力は加えられていない状態における）長さの２０〜１００％で予め引っ張られる。より好ましくは、腰部弾性部材８０を４０〜８０％で予め引っ張るのがよい。予め引っ張られた腰部弾性部材８０を接合した後、次に腰部弾性部材８０が、他の構成要素、例えば、内側バリヤ折返し部５４の延長部分７２、トップシート２４の端部延長部分２４Ａ及び不織外カバー２３の端部延長部分２３Ａが腰部弾性部材８０に接合された状態で、これらの実質的に張力の加えられていない状態に戻るようにする。かくして、連続伸長性ウエストバンド５７，５９は、腰部弾性部材８０の張力の加えられていない状態の長さからシャシ４１のウエストバンドパネル６，７の原長まで少なくとも伸長可能な状態で形成される。
【００８５】
変形例として、腰部弾性部材８０の一部だけを、複数の層のうちの少なくとも１つの延長部分に作動的に接合する前に予め引っ張って、腰部弾性部材８０の一部を予め引っ張った状態における腰部弾性部材８０の予備引張状態長さ全体が、シャシ４１のウエストバンドパネル６，７の原長とほぼ同一であるようにしてもよい。好ましくは、腰部弾性部材８０に隣接した吸収性心材２５の側方幅Ｘ（図３に示す）に沿って延びる腰部弾性部材８０の一部だけを予め引っ張ることができる。
【００８６】
伸長性材料の例としては、１９３７年３月３０日にGalligan氏に付与された米国特許第２，０７５，１８９号、１９６２年３月１３日にHarwoot 氏に付与された米国特許第３，０２５，１９９号、Sisson氏に１９７８年８月１５日及び１９８０年６月２４日にそれぞれ付与された米国特許第４，１０７，３６４号及び第４，２０９，５６３号、１９８９年３月３０日にSabee 氏に付与された米国特許第４，８３４，７４１号、１９９２年９月２９日にBuell 氏等に付与された米国特許第５，１５１，０９２号に開示されたものが挙げられる。
【００８７】
連続伸長性ウエストバンド５７，５９は、腰部弾性部材８０の張力の加えられていない状態の長さからシャシ４１のウエストバンドパネル６，７の原長まで少なくとも伸長可能な状態で形成される。しかしながら、腰部弾性部材８０は通常、吸収性心材２５と関連して設けられた複数の層、例えば、実質的に非弾性のトップシート２４及びバックシート２２のうち少なくとも１つの延長部分に接合される。したがって、腰部弾性部材８０は、腰部弾性部材８０の非引張状態長さとシャシ４１のウエストバンドパネル６，７の原長との間でのみ伸びることができ、シャシ４１のウエストバンドパネル６，７の原長を越えて伸びることはできない。これにより、たとえ腰部弾性部材８０それ自体がシャシ４１のウエストバンドパネル６，７の原長又は腰部弾性部材８０の予備引張状態長さ全体を越えて伸びることができるとしても、連続伸長性ウエストバンド５７，５９（即ち、連続伸長性要部側特徴部６０）の伸長範囲の上限が制限される。伸長範囲の上限のこの制限によっても、連続伸長性ウエストバンド５７，５９についての十分な伸長性が得られない。したがって、プルオン式おむつ２０を着用者に着用できるよう伸長させると、プルオン式おむつ２０は、ウエスト通し穴の十分な大きさを提供することができず、或いは、アプリケータは、ウエスト通し穴の十分なサイズを得るためにプルオン式おむつ２０の他の伸長性材料から伸長性を得ようとして非常に大きな力をプルオン式おむつ２０に加えなければならない。これにより、プルオン式おむつ２０を着用者に付けるのが困難になる場合がある。
【００８８】
したがって、連続伸長性ウエストバンド５７，５９は、シャシ４１のウエストバンドパネル６，７の原長又は腰部弾性部材８０の予備引張状態長さ全体を越える伸長性の一層広い範囲（即ち、伸長範囲）を提供するよう弾性的に伸長可能にされる。すなわち、腰部弾性部材８０を予め引っ張られた（張力が加えられた）条件の下で内側バリヤ折返し部５４、トップシート２４及び不織外カバー２３に操作的に接合した後であって、これらの実質的に張力の加えられていない状態に戻る前に、結果的に得られる複合ストレッチ積層品の少なくとも一部、好ましくは全体に、左及び右内側バリヤ折返し部５４の延長部分７２、トップシート２４の端部延長部分２４Ａ、不織外カバー２３の端部延長部分２３Ａ及び腰部弾性部材８０の一部を構成するカバー素材層（もし設けられていれば）である非弾性構成要素を永続的に伸長させるのに十分な機械的な延伸作業を施す。すると、複合ストレッチ積層品は、その実質的に張力の加えられていない状態に戻るようになる。したがって、腰部弾性部材８０は、張力の加えられていない状態の長さからシャシ４１のウエストバンドパネル６，７の原長を越えて少なくとも非弾性構成要素の永続的に伸長した長さまで引き伸ばし可能である。これにより、連続伸長性ウエストバンド５７，５９についてより幅の広い伸長範囲が得られ、それにより、着用が容易になるという利点が得られる。変形例として、腰部弾性部材８０を、実質的に張力を加えない状態（歪みゼロ）条件で内側バリヤ折返し部５４、トップシート２４及び不織外カバー２３に接合して「歪みゼロ」ストレッチ積層品を形成してもよい。好ましい装置及び方法は、１９９２年１２月１日にWeber氏等に付与された米国特許第５，１６７，８９７号、１９９０年１０月２０日にBuell 氏等に付与された米国特許第５，１５６，７９３号、１９９２年９月１日にWeber 氏等に付与された米国特許第５，１４３，６７９号、１９９８年５月７日に出願された欧州特許出願第９８１０８２９０．２号（発明の名称：Method and Apparatus for Activating & Moving Web；発明者：Christoph J. Schmitz 氏等）に開示されている。
【００８９】
腰部弾性部材８０は、側部エラストマー材料１２４と同一の材料／構造を利用することができる腰部エラストマー材料２００を有している。変形例として、腰部エラストマー材料２００は、側部エラストマー材料１２４とは異なる材料／構造を用いてもよい。腰部弾性部材８０は、第１のカバー素材層２０２及び第２のカバー素材層２０４のうち一方又は両方を更に有するのがよい。腰部弾性部材８０の構造は、側部弾性部材７０の構造と同一又は類似したものであるのがよい。カバー素材層２０２，２０４の構造、材料及び（又は）特性は、カバー素材層１２２，１２６のものと同一又は類似していてもよく、或いは、これらとは異なっていてもよい。さらに、腰部エラストマー材料２００をカバー素材層２０２，２０４に接合する方法は、上述の耳パネル部材７０について説明した部材の接合方法と同一又は類似したものであってよく、或いは、これらとは異なっていてもよい。好ましい実施形態では、腰部弾性部材８０は、腰部エラストマー材料２００及びカバー素材層のうち１つの層２０２又は２０４を有している。かかる場合、腰部エラストマー材料２００は、内側バリヤ折返し部５４及びトップシート２７に向いた状態で設けられ、カバー素材層２０２又は２０４は、着用者の体に向いてこれに接触するよう設けられ、したがって、着用者の皮膚は腰部エラストマー材料２００で直接圧迫されず、それにより、皮膚に赤マークの発生する場合が減少するようになる。
【００９０】
一実施形態では、腰部弾性部材８０は、腰部エラストマー材料２００及びカバー素材層のうち１つの層２０２又は２０４を有するのがよい。或る一つの場合においては、腰部エラストマー材料２００を、内側バリヤ折返し部５４及びトップシート２４に向けて配置し、カバー素材層２０２又は２０４を不織外カバー２３に向けて配置する。カバー素材層をこのように配置することにより、腰部エラストマー材料２００が外部から見えるのが阻止される傾向がある。というのは、１つの層（カバー素材層）が、腰部エラストマー材料２００と不織外カバー２３との間に位置するよう追加されているからである。別の場合では、腰部エラストマー材料２００を不織外カバー２３に向けた状態で配置し、カバー素材層２０２又は２０４を内側バリヤ折返し部５４及びトップシート２７に向けて配置する。カバー素材層をこのように配置することにより、皮膚に赤マークの生じる場合が少なくなりがちである。というのは、１つの層（カバー素材層）が、腰部エラストマー材料２００と着用者の皮膚との間に位置するよう追加されているからである。両方の場合において、カバー素材層のうちの一つが省かれている（カバー素材層の２つの層と比較して）ので、連続伸長性ウエストバンド５７の嵩張り度が減少する。さらに、連続伸長性ウエストバンド５７のところの呼吸性が、この中の材料が少ないので高くなる。加うるに、連続伸長性ウエストバンド５７は、有効伸長性が一層高くなるようになる。連続伸長性ウエストバンド５７は、好ましい実施形態では予め引っ張られ、次に元の引っ張られていない状態に戻される腰部エラストマー材料２００から成る腰部弾性部材８０で形成されている。腰部エラストマー材料２００がその元の引っ張られていない状態に戻ると、腰部エラストマー材料２００に接合されている他の構成要素は、腰部エラストマー材料２００がその元の非引張状態長さに戻るのを阻止する傾向がある。したがって、腰部エラストマー材料２００は、伸長性全体を利用することができない。しかしながら、上述の実施形態では、連続伸長性ウエストバンド５７の嵩張り度が減少するので、腰部エラストマー材料２００は、その元の非引張状態長さに迫る長さに戻ることができる。したがって、腰部エラストマー材料２００は、有効性の一層高い伸長性を得るようになる。
【００９１】
変形例として、腰部弾性部材８０は、カバー素材層が設けられていない状態で、腰部エラストマー材料２００から成る１つの層を有していてもよい。伸長性ウエストバンド５７の側部５７Ｂ内においては、腰部エラストマー材料２００は、内側バリヤ折返し部５４の延長部分７２と不織外カバー２３の端部延長部分２３Ａとの間に位置した状態でこれらの間に直接接合されている。中央部分５７Ａにおいては、腰部エラストマー材料２００は、トップシート２４の端部延長部分２４Ａと不織外カバー２３との間に位置した状態でこれらの間に直接接合されている。この構造は又、伸長可能ウエストバンド５７の嵩張り度を減少させるとともに呼吸性を高め、しかも有効伸長性を一層高めるのに有用である。
【００９２】
側部弾性部材７０及び腰部弾性部材８０は、別々の要素から成り、部材７０，８０は両方とも好ましくは、長手方向には互いにオーバーラップしないよう配置されている。しかしながら、部材７０，８０は両方とも好ましくは、これらの間にそれほど隙間を置かないで配置され、したがって部材７０，８０は伸長性耳部４６，４８中に複合エラストマー網状構造を形成するようになっている。
【００９３】
本明細書において用いる「複合エラストマー網状構造」という用語は、２以上の別々のエラストマー材料がこれら相互間に隙間をおかないで又は所定のインタバルで実質的に連続し、それにより、単一のエラストマー材料のような挙動を示す伸長性を呈する帯域又は領域を意味している。
【００９４】
好ましくは、両方の部材７０，８０は隙間のない状態で配置されている。したがって、伸長性耳部４６，４８及び連続伸長性ウエストバンド５７，５９の側部５７Ｂ，５９Ｂは、プルオン式おむつ２０の組立形態では腰部通し穴３６及び脚部通し穴相互間に連続した単一のエラストマー材料を構成していることがわかる。側部弾性部材７０及び腰部弾性部材８０は、別々の要素から成り、したがって、側部エラストマー材料１２４及び腰部エラストマー材料２００も又、別々の要素から成っている。
【００９５】
構造を別々にすることにより各構成要素中に異種材料を用いる側部エラストマー材料１２４及び腰部エラストマー材料２００の設計が可能になり、そこで、これにより、プルオン式おむつ２０の互いに異なる部分について伸長性に関し互いに異なる特性、例えば、力と伸びの曲線が得られる。構造を別々にすることにより、互いに異なる状態、例えば、予め引っ張られた（張力が加えられた）状態又は張力が加えられていない状態において側部エラストマー材料１２４及び腰部エラストマー材料２００を用いることもできる。これにより、プルオン式おむつ２０の互いに異なる部分を同一長さまで伸長させるのに必要な力を異なるものにすることができ、或いは、互いに異なる部分を互いに異なる長さにまで伸長させるのに必要な力を等しくすることができ、それにより、着用者の皮膚に加えられる圧力を調節することができる。例えば、プルオン式おむつ２０は、連続伸長性腰部側特徴部６０をプルオン式おむつ２０の着用を容易にするためにアプリケータによって加えられる小さな力によって容易に伸長されるように小さな力でも伸長性の高い腰部エラストマー材料２００を有するのがよく、他方、プルオン式おむつ２０は、伸長性耳部４６，４８のところでのフィット具合を維持するのに必要な力を生じさせる側部エラストマー材料１２４を有してもよいが、力は皮膚に赤マークを生じさせることができないほどのものである。一実施形態では、腰部エラストマー材料２００を有する連続伸長性腰部側特徴部６０は、少なくとも１００％の伸長性を有するよう設計され、これに対し、側部エラストマー材料１２４を有する伸長性耳部４６，４８は、伸長性耳部４６，４８を最大５０％（より具体的に言えばＳＣＲＦ５０％の場合）伸長させると、４０ｇ／インチ〜１３０ｇ／インチの範囲の力を有するよう設計される。
【００９６】
側部弾性部材７０と腰部弾性部材８０は両方とも、長手方向に互いにオーバーラップしないよう配置されており、したがって、側部エラストマー材料１２４及び腰部エラストマー材料２００も又、互いにオーバーラップしていない。側部弾性部材７０及び腰部弾性部材８０は構造的にオーバーラップしていないので、各部材７０，８０は、伸長性を備えた単一の材料から成り、したがって、これは伸長性が実質的に一様になっている。これにより、プルオン式おむつを当てることができるよう引き伸ばしている間に加えられる力の変化を感じずに、アプリケータがプルオン式おむつ２０をスムーズに引き伸ばすことができる。
【００９７】
シーム３２は各々、シームパネル１２，１３を互いに接合し、それにより、伸長性耳部４６，４８の対応部分を接合し、それにより、２つの脚部通し穴３４及び１つの腰部通し穴３６を形成している。前側及び後側伸長性耳部４６，４８は、好ましくは、互いにオーバーラップした状態で外側側縁４６Ｄ，４８Ｄに沿って縫い合わされ、それにより、オーバーラップ状態のシーム構造を形成している。変形例として、前側及び後側伸長性耳部４６，４８を当業者には知られている突合縫い方法（図示せず）で縫い合わせてもよい。シーム３２の接合を、前側及び後側伸長性耳部４６，４８で用いられた特定の材料について適した当該技術分野で知られている任意適当な手段によって行ってもよい。かくして、音波密封、ヒートシール、加圧接合、接着又は粘着、ミシン掛け、ガス溶着等が適当な方法である。好ましくは、シームパネル１２，１３を着用中、プルオン式おむつ２０に生じる力及び応力に耐える熱／圧力又は超音波溶着部の所定のパターンによって接合する。シーム３２は又、連続伸長性ウエストバンド５７，５９を互いに連結して腰部通し穴３６の周りに連続した伸長性腰部側特徴部６０を形成する。側部弾性部材７０及び腰部弾性部材８０はシームパネル１２，１３内へ延びると、シーム３２は、前側領域２６内の側部弾性部材７０を後側領域２８内の側部弾性部材７０に固定すると共に前側領域２６内の腰部弾性部材８０を後側領域２８内の腰部弾性部材８０に固定する。シームの例としては、１９９６年１０月２９日にBuell 氏等に付与された米国特許第５，５６９，２３４号、１９９７年３月４日にJohnson 氏等に付与された米国特許第５，６０７，５３７号、１９９７年９月２日にJohnson 氏等に付与された米国特許第５，６６２，６３８号及び１９９７年１１月１１日にBuell 氏等に付与された米国特許第５，６８５，８７４号に開示されたものが挙げられる。好ましいシームは、１９９６年１１月２１日に出願された欧州特許出願第９６１１８６５４．１号（発明の名称：Thermal joining of Webs ；発明者：Christoph J. Schmitz）に開示されている。
【００９８】
好ましい実施形態では、外側側縁４６Ｄ，４８Ｄは、内側側縁４６Ｃ，４８Ｃに対して並行ではなく長手方向中心線１００に対しても並行ではない。外側側縁４６Ｄ，４８Ｄは、下方端縁４６Ｂ，４８Ｂに近いところで側方外方に突出している。伸長性耳部４６，４８は、内側側縁４６Ｃ，４８Ｃと下方端縁４６Ｂ，４８Ｂの近くに位置した外側側縁４６Ｄ，４８Ｄとの間の側方幅Ｌ１が、内側側縁４６Ｃ，４８Ｃと上方端縁４６Ａ，４８Ａの近くに位置した外側側縁４６Ｄ，４８Ｄとの間の側方幅Ｌ２よりも大きい。したがって、伸長性耳部４６，４８の側方における利用可能なエラストマー材料の量は、上方端縁４６Ａ，４８Ａの近くよりも下方端縁４６Ｂ，４８Ｂの近くの方が多い。下方端縁４６Ｂ，４８Ｂの近くの伸長性が高められる。加うるに、伸長性耳部４６と伸長性耳部４８の両方は下方端縁４６Ｂ，４８Ｂの近くでの側方幅が大きいので（即ち、利用可能なエラストマー材料の量が多い）、側方幅（即ち、利用可能なエラストマー材料の量）は、伸長性耳部４６と伸長性耳部４８を組み合わせることにより下方端縁４６Ｂ，４８Ｂの近くで一層大きくなる。かかる形態では下方端縁４６Ｂ，４８Ｂの近くのところでの幅が大きいので、プルオン式おむつは、脚部通し穴の周りで利用できるエラストマー材料の量が多くなり、他方、プルオン式おむつは、腰部通し穴の周りでのエラストマー材料の量を維持する。したがって、プルオン式おむつは、脚部通し穴の周りでの皮膚に対する有害な症状を生じさせる高すぎる圧力を皮膚に与えず、しかも、腰部通し穴の周りでのフィット具合を維持する。
【００９９】
さらに、上述したように、腰部弾性部材８０は、張力が加えられた（予め引っ張られた）状態でシャシ４１のウエストバンドパネル６，７に接合され、側部弾性部材７０が張力の加えられていない状態では、伸長性耳部４６，４８に接合された状態で実質的に張力の加えられていない状態に戻るようになる。したがって、連続伸長性腰部側特徴部６０周りのプルオン式おむつ２０の周長は、伸長性耳部４６，４８の一部を通るプルオン式おむつ２０の周長よりも張力の加えられていない条件のもとでは一段と小さくなる。この形態により、脚部通し穴の周りでの皮膚に対する有害な症状の発生を減少させた状態で腰部通し穴の周りでのフィット具合の維持が一段と向上する。本明細書で用いる「円周方向」という用語は、プルオン式おむつの組立形態において腰部通し穴に沿う方向を意味している。本明細書で用いる「周長」という用語は、円周方向沿いのプルオン式おむつの長さを意味している。
【０１００】
連続ベルト帯域３８は、図１に示すように前側及び後側伸長性耳部４６，４８、シャシ４１の一部及び連続伸長性腰部側特徴部６０によって形成されている。連続ベルト帯域は、プルオン式おむつのその部分又はベルト状帯域であり、これは、連続ベルト帯域の周長を伸ばしてプルオン式おむつ２０を当てることができるよう伸長可能である。プルオン式おむつ２０を着用者に装着する際、プルオン式おむつ２０を伸長させてプルオン式おむつ２０を装着しやすくするために腰部通し穴を広くすると共に脚部通し穴を広くしなければならない。連続ベルト帯域３８は、伸長可能なその部分である。連続ベルト帯域３８は、図１に示す組立形態では、プルオン式おむつ２０の腰部エッジ１５１，１５５、脚部エッジ１５３，１５６及び前側領域２６及び後側領域２８の股領域３０の側縁１５９によって包囲されている。連続ベルト帯域３８は、典型的には耳パネルのところの最小高さを有している。図１に示す実施形態では、連続ベルト帯域３８の最小高さは、シーム３２に沿って測定される。連続ベルト帯域３８は又、連続した最も下に位置する線３５を有し、これは、脚部通し穴３４によっては中断されておらず、脚部通し穴３４に最も近く位置している。連続ベルト帯域３８は、２つの部分、即ち、連続伸長性腰部側特徴部６０が延びる連続ウエストベルト帯域３７及び伸長性耳部４６，４８及びシャシ４１の一部が延びる連続下方ベルト帯域３９を有している。好ましい実施形態では、連続ウエストベルト帯域３７は、連続伸長性腰部側特徴部６０と形状が一致している。
【０１０１】
図３に示すプルオン式おむつが図１に示すような組立形態になる好ましい一実施形態では、腰部エッジ１５１，１５５に沿う連続ベルト帯域３８の初期周長は、張力がかけられていない状態では、２００ｍｍ〜５００ｍｍ、好ましくは２５０ｍｍ〜４００ｍｍであるのがよい。腰部エッジ１５１，１５５に沿う連続ベルト帯域３８の周長は、少なくとも６５０ｍｍ、好ましくは少なくとも７００
ｍｍ、より好ましくは少なくとも７５０ｍｍになる（伸長後の周長）。線３５に沿う連続ベルト帯域３８の周長は、３００ｍｍ〜５５０ｍｍ、好ましくは３５０ｍｍ〜５００ｍｍであるのがよい。シーム３２に沿って測定された連続ベルト帯域３８の最小高さは、５０ｍｍ〜１５０ｍｍ、好ましくは８０ｍｍ〜１２０ｍｍであるのがよい。連続ウエストベルト帯域３７（即ち、連続伸長性腰部側特徴部６０）の高さは、５ｍｍ〜４０ｍｍ、好ましくは１５ｍｍ〜３０ｍｍであるのがよい。線３５に沿うプルオン式おむつ２０の一方の側における伸長性耳部４６，４８の側方長さの合計は、５０ｍｍ〜１２０ｍｍ、好ましくは６０ｍｍ〜１００ｍｍである。
【０１０２】
図３に示す形態のプルオン式おむつは、組立形態になると、着用者の皮膚に対する圧力を局所的に、特に、脚部通し穴３４の周りで減少させる。というのは、伸長性耳部４６，４８が、下方端縁４６Ｂ，４８Ｂの近くでの側方幅（側方における有効伸長性）が大きいからである。必要ならば、側部エラストマー材料１２４は、脚部通し穴３４の周りでの圧力を一段と減少させるためにＳＣＲＦ５０％力が低い材料を用いることができる。しかしながら、脚部通し穴３４の周りでのＳＣＲＦ５０％力を減少させると、その結果として、プルオン式おむつ全体についてのフィット具合の維持が失われる場合がある。したがって、腰部通し穴３６の周りでの圧力を大きくすることがプルオン式おむつ全体についてのフィット具合の維持を達成するのに必要な場合がある。これを達成するには、腰部エラストマー材料２００を、ウエストバンドパネル６，７に接合する前に腰部エラストマー材料２００だけを予め引っ張るのがよい。加うるに、腰部エラストマー材料２００は、腰部通し穴３６の周りでの圧力を一段と大きくするためにＳＣＲＦ５０％力の大きな材料を用いるのがよい。力の分布のこのような組合せにより、プルオン式おむつは、脚部通し穴の周りで皮膚に生じる赤マークを少なくした状態で腰部通し穴の周りでのフィット具合の維持を達成することができる。変形例として、図３に示す形態のプルオン式おむつは、組立形態になると、脚部通し穴の周りでのフィット具合を維持することができ、しかも、腰部通し穴の周りでの皮膚に生じる赤マークを少なくすることができる。これは、例えば、腰部通し穴３６の周りでの圧力を減少させるために腰部エラストマー材料２００についてＳＣＲＦ５０％力の小さな材料を用いて達成できる。側部エラストマー材料１２４は、ＳＣＲＦ５０％力の小さな材料を用いることができる。さらに、側部エラストマー材料１２４を、耳パネル６，７に接合する前に予め引っ張るのがよい。
【０１０３】
連続ベルト帯域３８は、着用者に着用された際のプルオン式おむつ２０のフィット力を動的に生じさせてプルオン式おむつ２０を着用者に付けたまま維持するのに寄与する。連続ベルト帯域３８により生じる高いフィット力は、プルオン式おむつについてのフィット具合の維持を得るのに好ましいが、高いフィット力を生じさせる連続ベルト帯域３８は、プルオン式おむつを着用者に当てるのを困難にする。というのは、プルオン式おむつのアプリケータは、大きな力をプルオン式おむつに加えて連続ベルト帯域３８を伸長させ、腰部通し穴を広くすると共に脚部通し穴を広くする必要があるからである。連続ベルト帯域３８は側部エラストマー材料１２４及び腰部エラストマー材料２００を有しているので、エラストマー材料を両方ともプルオン式おむつの引張操作の際に伸長させる必要がある。したがって、側部及び腰部エラストマー材料を含む連続ベルト帯域３８の伸長性の特性は、連続伸長性腰部側特徴部６０単独の伸長性の特性及び（又は）伸長性耳部４６，４８だけの伸長性の特性よりも重要である。ただし、連続伸長性腰部側特徴部６０だけの伸長性の特性及び（又は）伸長性耳部４６，４８だけの伸長性の特性も依然として重要ではある。Kato氏等に１９９７年２月１１日に付与された米国特許第５，６０１，５４７号は、一層快適なフィット感をもたらすと共に使い安さを向上させた子供のトレーニングパンツ向きの弾性率を向上させたウエスト弾性システムを開示している。しかしながら、この米国特許はウエスト弾性システムの改良に関するものであるにすぎない。
【０１０４】
連続ベルト帯域３８は、初期伸び率（即ち、０％）から伸長範囲内で伸長可能である。伸び率は、次式、即ち、（（伸長後周長−初期周長）／初期周長）×１００から計算され、これは％（百分率）の単位で表される。連続ベルト帯域３８の初期周長は、連続ベルト帯域３８の張力の加えられていない条件における周長である。伸長後周長は、連続ベルト帯域３８の伸長状態における周長である。伸長範囲を広げることにより、プルオン式おむつ２０を当てることができるよう腰部通し穴を広げると共に脚部通し穴を広げることができる。伸長後周長を大きくすることにより、プルオン式おむつ２０を当てることができるよう伸長後のプルオン式おむつと着用者の身体との間のスペースを広げることができる。連続ベルト帯域３８の周長は、連続ベルト帯域３８のウエスト境界部（即ち、連続伸長性腰部側特徴部６０の腰部エッジ１５１，１５５）に沿って測定された周長である。
【０１０５】
プルオン式おむつを当てやすいという利点を得るために（即ち、腰部通し穴及び脚部通し穴を広くするために）、プルオン式おむつの連続ベルト帯域３８の初期周長は、約２２０ｍｍ〜約５００ｍｍであるのがよく、プルオン式おむつの連続ベルト帯域３８の伸長後周長は少なくとも約６５０ｍｍである。より詳細に説明すると、体重が約７ｋｇ〜約１０ｋｇのよちよち歩きの幼児に合うよう設計されたプルオン式おむつの連続ベルト帯域３８の初期周長は、約２２０ｍｍ〜約４６０ｍｍ、好ましくは約２５０ｍｍ〜約３６０ｍｍである。体重が約９ｋｇ〜約１４ｋｇのよちよち歩きの幼児に合うよう設計されたプルオン式おむつの連続ベルト帯域３８の初期周長は、約２４０ｍｍ〜約４８０ｍｍ、好ましくは約２７０ｍｍ〜約３８０ｍｍである。体重が約１３ｋｇ以上のよちよち歩きの幼児に合うよう設計されたプルオン式おむつの連続ベルト帯域３８の初期周長は、約２６０ｍｍ〜約５００ｍｍ、好ましくは約２９０ｍｍ〜約４００ｍｍである。体重が約７ｋｇ〜約１０ｋｇのよちよち歩きの幼児に合うよう設計されたプルオン式おむつの連続ベルト帯域３８の伸長後周長は、少なくとも約６５０ｍｍ、好ましくは約７００ｍｍである。体重が約９ｋｇ〜約１４ｋｇのよちよち歩きの幼児に合うよう設計されたプルオン式おむつの連続ベルト帯域３８の伸長後周長は、少なくとも約７００ｍｍ、好ましくは約７５０ｍｍである。体重が約１３ｋｇ以上のよちよち歩きの幼児に合うよう設計されたプルオン式おむつの連続ベルト帯域３８の伸長後周長は、少なくとも約７５０ｍｍ、好ましくは約８００ｍｍである。プルオン式おむつは、少なくとも約１２５％の伸び率、好ましくは約１３５％、より好ましくは約１５０％の伸び率範囲を有している。
【０１０６】
連続ベルト帯域３８は又、伸長範囲内における力と伸び率の関係を表す曲線及び伸長範囲内における伸長係数を有している。力と伸び率に関する曲線は、連続ベルト帯域３８を伸長させるのに必要な力と連続ベルト帯域３８の伸び率との関係を表している（この曲線を、以下、「力−伸び率曲線」という）。伸長係数は、力の変化率と伸び率の変化率の割合を表しており、ｇ／％伸び率の単位で表される。伸長係数を得る方法について以下に説明する。伸長率が高いことは、連続ベルト帯域３８を伸長させる力の変化率が高いことを意味する。伸長係数が劇的に高くなると、アプリケータは、その部分を伸び率の限界として認識する。逆に、伸長係数が小さいと、連続ベルト帯域３８を伸長させる力の変化率が小さいことを意味する。これにより、アプリケータは、大きな力を加えなくても連続ベルト帯域３８を伸長させることができ、アプリケータは、伸び率の限界を感じることができない。したがって、連続ベルト帯域３８は、プルオン式おむつを当てることができるようにするために伸長後周長の状態では小さな伸長係数を有することが好ましい。加うるに、プルオン式おむつを当てることができるようにするためには、伸長後周長までプルオン式おむつを伸長させる力が小さいことが好ましい。プルオン式おむつが当てやすいという利点を得るために（即ち、プルオン式おむつを当てやすくするために伸び率を得る力を小さくすると共にプルオン式おむつを当てるための伸び率において伸長係数を小さくするために）１２５％の伸び率における伸長係数が、約１５０ｇ／％伸び率以下、好ましくは、約１２０ｇ／％伸び率以下、より好ましくは約１００ｇ／％伸び率以下である。１２５％の伸び率までの伸長範囲内における伸長係数は、好ましくは約１５０ｇ／％伸び率以下、より好ましくは約１２０ｇ／％伸び率以下である。１３５％の伸び率における伸長係数は、約２００ｇ／％伸び率以下、好ましくは約１７５ｇ／％伸び率以下、より好ましくは約１５０ｇ／％伸び率以下である。１３５％の伸び率までの伸長範囲内における伸長係数は、好ましくは約２００ｇ／％伸び率以下、より好ましくは約１７５ｇ／％伸び率以下である。１５０％の伸び率における伸長係数は、好ましくは約３００ｇ／％伸び率以下、より好ましくは約２５０ｇ／％伸び率以下である。１２５％の伸び率を得る力は、好ましくは約５，０００ｇ以下、より好ましくは約４，５００ｇ以下である。１３５％の伸び率を得る力は、好ましくは約６，０００ｇ以下、より好ましくは約５，５００ｇ以下である。１５０％の伸び率を得る力は、好ましくは約９，０００ｇ以下、より好ましくは約８，０００ｇ以下である。
【０１０７】
図７は、プルオン式おむつの連続ベルト帯域３８の力−伸び率曲線の好ましい一例を示している。図８は図７に示す例の伸長係数と伸び率の関係を表す曲線（以下、「伸長係数−伸び率曲線」という）を示している。連続ベルト帯域３８の力−伸び率曲線及び伸長係数−伸び率曲線を得るための方法を以下に説明する。
【０１０８】
連続ベルト帯域の力−伸び率曲線及び伸長係数−伸び率曲線を得るための方法を以下に説明する。この方法は、力−伸び率曲線を測定するための"Sintech TestWorks" ソフトウエアパッケージに含まれた極限引張試験方法を設計変更したものである。この測定法は基本的には、０ｇの力から始まって１０，０００ｇの力に至るジョーに代えてInstron 力試験機及び２つの水平方向バーを用いることによりプルオン式おむつを着用者に装着する際、或いは、連続ベルト帯域に加えられた力が極限力であることを表すおむつの破断の際にアプリケータの癖をシミュレートするよう設計されている。この方法は、おむつの張力が加えられていない状態から極限引張状態までの「力−伸び率曲線」を与える。次に、上述したように生じた力と伸び率の関係を表すデータを「伸長係数伸び率」曲線に変換することができる。
【０１０９】
この試験方法では、以下に説明するような試料の調製が必要である。
【０１１０】
(1) 試験対象の試料としてのおむつを袋から取り出す必要がある。
【０１１１】
(2) 測定の際、おむつを延伸させない状態で巻尺を用いておむつの腰部エッジのところでのおむつの内側周長（張力の加えられていない状態のおむつ周長）を測定する。
【０１１２】
この試験方法では、以下に記載する機器が必要である。
【０１１３】
0004767419.tif 000003
この試験方法を以下に記載する設定で行う。
【０１１４】
(1) 試験方法：引張
(2) 移動速度：２０インチ／分
(3) ゲージ長さ：上バーと下バーの中心間距離を以下のようにして計算する。
【０１１５】
（ゲージ長さ）＝（張力がかけられていない状態のおむつ周長）／２−３０ｍｍ(4) サイクル回数：１サイクル
(5) 破断感度：７５％
(6) 荷重限度：１０，０００ｇ
(7) 計算上の入力：張力がかけられていない状態のおむつ周長、５００ｇ、１，００ｇ、２，０００ｇ、３，０００ｇ、４，０００ｇ、５，０００ｇ、６，０００ｇでの荷重点
(8) 計算結果：０ｇ（張力がかけられていない状態）のおむつ周長、５００ｇ、１，０００ｇ、２，０００ｇ、３，０００ｇ、４，０００ｇ、５，０００ｇ、６，０００ｇ、ピーク荷重のところでの荷重点における伸び率、ピーク荷重値、ピーク荷重時の周長。或る荷重点におけるおむつ周長を以下のようにして計算する。
【０１１６】
（おむつ周長）＝（張力の加えられていない状態のおむつ周長）＋（伸び量）×２
或る荷重点の伸び率を以下のようにして計算する。
【０１１７】
（伸び率）＝（伸長後おむつ周長−張力がかけられていない状態のおむつ周長）／（張力がかけられていない状態のおむつ周長）
試験方法を以下のように実施する。
【０１１８】
(1) 試料としてのおむつを調製し、測定データを設定する
(2) Instron ロードセルをセットアップし、上述のInstron の設定に続き、ジョグ送りによりロードセルを校正する
(3) TestWorks システムにログインする
(4) 方法のリストを示すツールバーから引張試験方法を選択し、コントロールパネル、荷重計、伸び率計及びハンドセットをスクリーン上に見えるようにする
(5) 張力がかけられていない状態のおむつ周長のデータを計算入力中のゲージ長に入力する。
【０１１９】
(6) 上述のゲージ長の設定後にルーラを用いてゲージ長をセットアップする。
【０１２０】
（例：張力がかけられていない状態のおむつ周長＝３８０ｍｍ→ゲージ長＝３８０／２−３０＝１６０ｍｍ）
(7) 荷重計中の荷重及び伸び率計中の伸び率をリセットする
(8) 試験対象の製品を上バー上に置くことにより製品の重さを測定し、次に荷重を再びリセットする
(9) 折返し部／脚部用ゴムひもがバー上にくっついていないかどうかをチェックしながら試料としてのおむつをジョグ上に置く。
【０１２１】
(10)おむつをジョグ上に置いた後においては、荷重計をリセットしない。
【０１２２】
(11)「実行」をクリックして測定を開始する。
【０１２３】
(12)測定が完了すると、ジョグは元の位置に戻る。
【０１２４】
(13)「ファイル」をクリックしてデータを保管しておむつを取り除く。
【０１２５】
(14)他の試料について手順(6) 〜(13)を繰り返す。
【０１２６】
データを以下のようにして評価する。
【０１２７】
(1) 全ての試料について試験を終えた後、データを適当な表計算プログラム（即ち、Microsoft Excel （登録商標））に送出する。
【０１２８】
(2) グラム（ｇ）で表した力を％表示のおむつ伸び率に対してプロットすることにより「力−伸び率曲線」を得る。
【０１２９】
(3) データ点相互間の力の差を２つの同一の点相互間の伸び率の差で割ることにより「伸長係数」を得る。
【０１３０】
(4) 手順(3) で得られた伸長係数を％表示のおむつ伸び率に対してプロットすることにより「伸長係数−伸び率曲線」を得る。
【０１３１】
上述したように、連続ベルト帯域３８は、着用者に取り付けられるとプルオン式おむつ２０にフィット力を生じさせてプルオン式おむつ２０が着用者に取り付けられたままの状態を維持する。
【０１３２】
連続ベルト帯域３８は、弾性材料、例えば、側部エラストマー材料１２４及び腰部エラストマー材料２００を有する伸長性帯域を更に有している。伸長性帯域は、脚部エラストマー材料を更に有するのがよい。脚部エラストマー材料は、図３に示すようにエラストマー材料、例えば弾性ストランド６４を有している。脚部エラストマー材料は、側部エラストマー材料１２４又は腰部エラストマー材料２００に用いられる材料から成るのがよい。本明細書で用いる「伸長性帯域」という用語は、連続平面層（孔が設けられていてもよく、或いは設けられていなくてもよい）の形態又は互いに連結されていないストランドの形態を備えたエラストマー材料によって伸長可能にされるプルオン式おむつの連続領域又は連続帯域を意味している。伸長性帯域は、実質的に連続ベルト帯域３８中に皮膚接触圧力を生じさせる連続ベルト帯域３８内の部分である。伸長性帯域によって得られる皮膚接触圧力は、プルオン式おむつが着用者に取り付けられたままの状態を維持する（プルオン式おむつのフィット具合の持続）の一因となる。伸長性帯域の皮膚接触圧力は、どこでも一様であるというわけではない。腰部通し穴の周りと脚部通し穴との周りとの間の伸長性帯域の皮膚接触圧力は、互いに異なる場合がある。さらに、皮膚接触圧力は、おむつの半径方向周囲又は脚部周囲の周りでは様々である場合がある。
【０１３３】
伸長性帯域では、皮膚を圧迫するエラストマー材料の弾性構成要素（例えば、図６に示すエラストマースクリム１２４の複数の第１のストランド１２５及び複数の第２のストランド１２７）は通常、伸長性帯域の領域の残部（例えば、図６に示すエラストマースクリムの複数の孔１３２）よりも高い皮膚接触圧力を生じさせる。したがって、皮膚を圧迫するエラストマー材料の皮膚接触圧力が低いと、そのために局所的皮膚疾病率が減少することになる。
【０１３４】
皮膚を圧迫するエラストマー材料（側部エラストマー材料及び（又は）腰部エラストマー材料）の皮膚接触圧力は、プルオン式おむつ２０が着用者に付けられたままの状態を維持するためには、約０．１ｐｓｉ以上、好ましくは、約０．２ｐｓｉ以上、より好ましくは約０．３ｐｓｉ以上であることが必要である。皮膚を圧迫するエラストマー材料（側部エラストマー材料及び（又は）腰部エラストマー材料）の皮膚接触圧力は、伸長性帯域において皮膚にマークを生じさせないようにするためには、約０．７５ｐｓｉ以下、好ましくは、約０．６５ｐｓｉ以下、より好ましくは約０．５５ｐｓｉ以下であることが必要である。皮膚を圧迫するエラストマー材料の皮膚接触圧力の上記範囲から選択された任意の組合せは、着用者への取付け位置から垂れ落ちたり、ずり落ちたり或いは滑り落ちる恐れが少なく、伸長性帯域において皮膚疾病の恐れが低く、しかもエラストマー材料による皮膚疾病の恐れが低いプルオン式おむつを提供する上で有効である。皮膚を圧迫するエラストマー材料（脚部エラストマー材料）の皮膚接触圧力は、プルオン式おむつ２０が着用者に付けられたままの状態を維持するためには、約０．１ｐｓｉ以上、好ましくは、約０．２ｐｓｉ以上、より好ましくは約０．３ｐｓｉ以上であることが必要である。皮膚を圧迫するエラストマー材料（脚部エラストマー材料）の皮膚接触圧力は、伸長性帯域において皮膚にマークを生じさせないようにするためには、約０．７５ｐｓｉ以下、好ましくは、約０．６５ｐｓｉ以下、より好ましくは約０．５５ｐｓｉ以下であることが必要である。皮膚を圧迫するエラストマー材料の皮膚接触圧力を得る方法について以下に説明する。
【０１３５】
腰部通し穴の周りでの伸長性帯域内における皮膚を圧迫するエラストマー材料の皮膚接触圧力は、腰部通し穴の周りでのプルオン式おむつのフィット具合を持続状態を提供するためには、伸長性帯域内の領域の残部のところでの皮膚を圧迫するエラストマー材料の皮膚接触圧力よりも高いのがよい。脚部通し穴の周りでの伸長性帯域内における皮膚を圧迫するエラストマー材料の皮膚接触圧力は、脚部通し穴の周りでのプルオン式おむつのフィット具合の持続状態を提供するためには、伸長性帯域内の領域の残部のところでの皮膚を圧迫するエラストマー材料の皮膚接触圧力よりも高いのがよい。腰部通し穴及び脚部通し穴の周りでの伸長性帯域内における皮膚を圧迫するエラストマー材料の皮膚接触圧力は、伸長性帯域内の領域の残部のところでの皮膚を圧迫するエラストマー材料の皮膚接触圧力よりも高いのがよい。伸長性帯域内の皮膚を圧迫するエラストマー材料の最も高い皮膚接触圧力と皮膚を圧迫するエラストマー材料の最も低い皮膚接触圧力との差は、約０．６５ｐｓｉ以下、好ましくは約０．４５ｐｓｉ以下、より好ましくは約０．２５ｐｓｉ以下であるべきである。この差が０に近くなると、伸長性帯域内の皮膚を圧迫するエラストマー材料の皮膚接触圧力は、どこでも一様に近くなる。これ又、差圧を原因とする皮膚疾病率を減少させる一因となる。
【０１３６】
プルオン式おむつ２０は、追加のエラストマー材料、例えば、内側バリヤ折返し部５４の間隔保持手段５８を更に有している。プルオン式おむつ２０に組み込まれたこれら追加のエラストマー材料は、着用者の皮膚を圧迫する追加のエラストマー材料について約０．７５ｐｓｉ以下の皮膚接触圧力をもたらす。好ましくは、着用者の皮膚を圧迫する追加のエラストマー材料の皮膚接触圧力は、約０．６５ｐｓｉ、より好ましくは約０．５５ｐｓｉ以下である。
【０１３７】
伸長性帯域内の皮膚を圧迫するエラストマー材料の皮膚接触圧力を測定する方法について以下に説明する。この方法は、"AMI Air-pack Type Contact Surface Pressure Measurement System" と呼ばれ、これは、軟質材料相互間に生じる表面接触圧力を測定するためにAMI Co., Ltd. によって商業的に提供されている。この方法は、おむつと着用者の身体との間の接触圧力を測定するために設計変更が施される。指定空気圧は、材料の延性によって吸収される力を差し引く元になる接触表面の力を表している。検出部は、非常に軟質の薄いフィルムで作られていてメインユニットに通じる管で構成されており、測定値は、ＤＣ出力に変換される（１０ｍＶ＝１ｇｆ／ｃｍ２  ）。
【０１３８】
この試験方法では、以下に記載する試料の調整が必要である。
【０１３９】
(1) 試験対象の試料としてのおむつを袋から取り出す
(2) ５０％延伸条件下でエラストマー材料の実際のエラストマー構成要素（即ち、弾性ストランド）の幅を測定し、エラストマー構成要素の面積パーセントを計算する。
【０１４０】
この試験方法は、"AMI Air-pack Type Contact Surface Pressure Measurement System" と呼ばれており、この方法では、以下に記載する機器が用いられる。
【０１４１】
0004767419.tif 000004
上述のこの試験機器では、以下の設定が必要である。
【０１４２】
(1) 出力ケーブルをメインユニットの出力コネクタに接続し、出力ケーブルの反対側をデータコレクタに接続する。
【０１４３】
(2) 電源を入れる
(3) 歯車装置を用いてエアシリンダのヘッドを端に向かって押して長さを最小にする。
【０１４４】
(4) エアパックをエアシリンダに連結する。
【０１４５】
(5) ピンを歯車装置の青色のヘッド内に差し込んで、ピンが端に来るまで歯車装置を回転させ、３秒間待つ。
【０１４６】
(6) 解除レバーを押してエアシリンダの圧力を周囲圧力と同一になるようにし、３秒間待つ。
【０１４７】
(7) 色がエアパックと同一の歯車装置の穴にピンを差し込んで、ピンが端に来るまで歯車装置を回転させる。
【０１４８】
(8) エアパックをエアシリンダから取り外し、ピンが端に来るまで歯車装置を回転させる。
【０１４９】
(9) メインユニットからの出力信号がほぼ０であるかどうかをチェックする。この場合の許容誤差は、５ｍＶ（０．５ｇｆ／ｃｍ２  ）である。
【０１５０】
(10)エアパックをメインユニットに連結する（連結を１回の動作で行うべきである。もし連結をやり直した場合には、エアパックの内容積を変えなければならない）。
【０１５１】
(11)手のひら又は指でエアパックを押してエアパックから空気を全て除き、メインユニットから電送された出力信号をチェックし、これが最大測定値であること及びシステムが最大測定値を超える値を測定できないことに注意を払う。接触表面の曲り度が大きすぎる場合及びメインユニットからの出力信号が＋２０ｍＶ（２ｇｆ／ｃｍ２  ）を越える場合、エアシリンダを連結して解除レバーを押す。
【０１５２】
(12)標準の測定を行うために少なくとも２つのエアパックを準備する。
【０１５３】
この方法は、図９及び図１０に示す形態の標準型マネキン３５０を利用するが、この標準型マネキン３５０は、着用者が座っている姿勢の身体形状に倣って構成されている。標準型マネキン３５０の寸法形状は、実際のおむつのユーザから得た身体の寸法データに基づくべきである。標準型マネキン３５０は、上方部分３５２及び下方部分３５４を有している。上方部分３５２及び下方部分３５４は、下胴部線３８０によって分けられている。下胴部線３８０は、恥骨の上方部分を通る円周方向線である。上方部分３５２は、胴体部分３５３を含んでいる。胴体部分３５３は、ウエストライン３５７によって包囲された上面３５５（図１１に示す）を有し、このウエストラインは、胴体部分３５３の腰部最上部の周りの円周方向線である。胴体部分３５３は、ウエストライン３５７と下胴部線３８０との間の高さによって定められた高さを有している。胴体部分３５３の周長は、ウエストライン３５７から下胴部線３８０に向かって次第に増大している。下方部分３５４は、下方部分３５４の後に位置した臀部３５６及び下方部分３５４の前のところで臀部３５６から突き出た脚部３５８を有している。臀部３５６及び脚部３５８は、身体の前のところの脂肪折り目に沿う股折り目線３５９によって分けられている。内腿３６４相互間に張られた角である股角度３６２を有している。脚部３５８は、脚部３５８の太腿の周りの円周方向線である太腿線３６６を有している。上面３５５は、直線と曲線から成るウエストライン３５７によって包囲された形状を有している。図１１は、上面３５５の形状の好ましい一例を示しており、これは、実際の着用者の体の寸法に基づいて定められる。標準型マネキンは、塩化ビニルで作られている。
【０１５４】
体重が約７．０ｋｇ〜約１０．０ｋｇの着用者に合うように設計されたおむつの標準型マネキンに関する実際の寸法は以下に示されている。
【０１５５】
ウエストラインのところの周長：  ４６０ｍｍ
下胴部線のところの周長：        ４７０ｍｍ
股折り目線のところの周長：      ３１０ｍｍ
太腿線のところの周長：          ２７５ｍｍ
胴体の高さ：                    ７５ｍｍ
股角度：                        約６０°
体重が約９．０ｋｇ〜約１４．０ｋｇの着用者に合うように設計されたおむつの標準型マネキンに関する実際の寸法は以下に示されている。
【０１５６】
ウエストラインのところの周長：  ４９５ｍｍ
下胴部線のところの周長：        ５０５ｍｍ
股折り目線のところの周長：      ３３０ｍｍ
太腿線のところの周長：          ２９０ｍｍ
胴体の高さ：                    ８０ｍｍ
股角度：                        約６０°
体重が約１３．０ｋｇ以上の着用者に合うように設計されたおむつの標準型マネキンに関する実際の寸法は以下に示されている。
【０１５７】
ウエストラインのところの周長：  ５２０ｍｍ
下胴部線のところの周長：        ５３０ｍｍ
股折り目線のところの周長：      ３５０ｍｍ
太腿線のところの周長：          ３０５ｍｍ
胴体の高さ：                    ８５ｍｍ
股角度：                        約６０°
腰部エラストマー材料及び側部エラストマー材料の測定点は、以下のようにして定められる。
【０１５８】
点Ｐ１は、胴体部分の右側のところの腰部の最小曲率半径の点である。点Ｐ２は、胴体部分の左側のところの腰部の最小曲率半径の点である。点Ｐ３は、胴体部分の後部の中心に位置する点である。点Ｐ４は、胴体部分の前部の中心のところに位置する点である。測定点Ｐ１，Ｐ２，Ｐ３，Ｐ４は、ウエストラインの下約１０ｍｍのところに位置し且つ試料おむつの腰部材料に完全に含まれるべきである。点Ｐ５は、右脚部の前部のところに位置する点であり、Ｐ６は左脚部の前部のところに位置する点である。測定点Ｐ５，Ｐ６についてのエアパックは、マネキンの脚部に接触するエラストマー材料の真下に設けられるべきである。
【０１５９】
脚部エラストマー材料の測定点は、エラストマー材料が標準型マネキンの皮膚に圧力を及ぼす点である。
【０１６０】
この方法を以下のように実施する。
【０１６１】
(1) 上述の設定を行った後、圧力測定システムをセットアップする。
【０１６２】
(2) 試料としてのおむつを準備し、これらのおむつを標準型マネキンに取り付ける。
【０１６３】
(3) ２つのエアパックを点Ｐ１，Ｐ２のところに配置し、圧力を測定する。
【０１６４】
(4) 圧力測定データを記録し、圧力信号が許容誤差５ｍＶ（０．５ｇｆ／ｃｍ２  ）でほぼ０に戻っているかどうかをチェックする。
【０１６５】
(5) ２つのエアパックを点Ｐ３，Ｐ４のところに配置し、圧力を測定する。
【０１６６】
(6) 圧力測定データを記録し、圧力信号が許容誤差５ｍＶ（０．５ｇｆ／ｃｍ２  ）でほぼ０に戻っているかどうかをチェックする。
【０１６７】
(7) ２つのエアパックを点Ｐ５，Ｐ６のところに配置し、圧力を測定する。
【０１６８】
(8) 圧力測定データを記録し、圧力信号が許容誤差５ｍＶ（０．５ｇｆ／ｃｍ２  ）でほぼ０に戻っているかどうかをチェックする。
【０１６９】
(9) 一つの試料おむつにつき手順２〜８を繰り返す。
【０１７０】
データを以下のようにして評価する。
【０１７１】
(1) 測定した電圧をｐｓｉに変換することにより（１０ｍＶ＝１ｇｍ／ｃｍ２  ）「伸長性帯域内の局所平均皮膚接触圧力」を得る。
【０１７２】
(2) 次に、上記手順で得られた「伸長性帯域内の局所平均皮膚接触圧力」をエラストマー構成要素の面積パーセントで割ることにより「皮膚を圧迫するエラストマー材料の皮膚接触圧力」をｐｓｉ単位で得る。
【０１７３】
現在市販されている使い捨ておむつ、プルオン式おむつ及びこれらに類似した使い捨て吸収性物品を製造する際に用いられる材料は一般に、これらの皮膚向き表面上において約０．１５〜約０．２３の静摩擦係数を有している。静摩擦係数の値が比較的低ければ、おむつを着用者の身体に装着しやすくなるが、このように静摩擦係数の値が低いと、おむつの内面と着用者の身体との間の皮膚接触圧力が比較的高いことにもなる。これは約１ｐｓｉ台である。皮膚接触圧力のこのレベルは、ウエストバンド領域においては、おむつを最適の効率が得られるその望ましい着用位置に維持する上で特に有利である。着用者の皮膚に赤マークの付く原因は、このように皮膚接触圧力が比較的高いことにある。このように皮膚に赤マークが付くことは、圧力を誘起するマークが付くことと擦過傷を引き起こすマークが付くことの両方である場合があり、後者は、着用者が体を動かす際におむつの表面が着用者の皮膚に対して動く場合に生じる。
【０１７４】
本発明によれば、着用者の皮膚に対する使い捨ておむつの接触圧力を減少させることにより、着用者の快適感が向上する。さらに、おむつと皮膚の相互接触圧力を減少させることにより、着用者の皮膚の圧力により誘起される赤マーク及び擦過傷を引き起こす赤マークが減少する。しかしながら、特におむつのウエストバンド領域においておむつの皮膚接触圧力を過度に減少させると、その結果として、おむつが着用者の身体上で滑る場合があり、その結果、望ましくないおむつの垂れ落ち又はずり落ちが生じることになる。皮膚接触圧力の減少によるかかる望ましくない結果は、おむつの内部の選択された領域の静摩擦係数を大きくすることにより解決できるということが判明した。「内部」という用語は、着用者の皮膚に接触するおむつの表面を意味している。
【０１７５】
使い捨ておむつの皮膚に向いた表面の静摩擦係数の増大をおむつの内側の皮膚に向いた表面上の目的に適う領域に選択的に行うことにより、有利な結果を得ることができる。図１及び図３を参照すると、プルオン式おむつ２０は、１対の保持帯域４００，４０２を有し（図１には、これらのうち１つしか見えない）、ウエストバンド領域の内部で、且つおむつを着用した際の着用者の臀部骨の実質的に上の位置でおむつの各側に一つずつ設けられている。保持帯域４００，４０２は、トップシート２４の身体向き表面、前側伸長性耳部４６の身体向き表面又は後側伸長性耳部４８の身体向き表面、おむつの内部身体向き表面の主要部分を一緒になって構成するおむつ内面の静摩擦係数よりも高い静摩擦係数を有する材料によって構成されたものであるのがよい。
【０１７６】
保持帯域を実質的にウエストバンド５７，５９の内面の臀部接触領域のところに設けることにより、衣料品の着用者が体を動かした時に作用しはじめる滑り力の皮膚擦過効果が最小限に抑えられる。その点に関し、おむつの臀部接触領域のところでは、おむつを着用者との間の相当大きな相対運動が生じる場合のあるおむつの他の幾つかの領域、例えば、腹部接触領域と比較して、おむつの内面と着用者の皮膚との間の相対運動は小さい。加うるに、おむつの臀部接触表面は一般に、おむつを装着している際にウエストバンドの周囲を拡大するよう掴まれて互いに間隔を広げられる表面なので、保持帯域をこれらの領域に位置決めすることは、衣料品を着用者の身体に装着している時に保持帯域と着用者の皮膚との接触を最小限に抑えるのに役立つ。かくして、おむつの摩擦の大きな臀部接触表面は、おむつを装着して際、着用者の身体から遠ざけられた状態に保持され、その結果、これらの領域における高い静摩擦係数は、おむつの着用操作を損なうようには作用しない。
【０１７７】
おむつの臀部接触表面に加えて、局所的に高い静摩擦係数を有する場合のあるおむつの他の内側皮膚に向いた表面は、ウエストバンド５９の背部接触領域を含むのがよい。その表面の静摩擦係数が高いと、おむつの位置保持特性が一層向上し、それにより、使用中、おむつが下に滑る恐れが最小限に抑えられる。図３に示すように、かかる背部保持帯域４０４を、摩擦係数の高い材料から成る細長い矩形ストリップとしてウエストバンド５９の内面上に設けるのがよい。変形例として、保持帯域４０４を、おむつのウエストバンドの内面に沿って設けられた一連の幅の狭い互いに間隔を置いた実質的に平行なストリップ又は一連の互いに間隔を置いたスポットで構成してもよい。かかる背部保持帯域４０４を、所望ならば臀部接触保持帯域４００，４０２に加えて用いると有利である。しかしながら、おむつの内部及び臀部接触表面から間隔を置いた箇所で静摩擦係数の高い他の表面の寸法及び位置決め状態を注意深く選択してこれらの臀部に接触しない表面がおむつを装着する操作を甚だしくは損なわないようにしなければならない。
【０１７８】
臀部接触領域保持帯域４００，４０２は好ましくは、衣料品の総費用を減少させる一方、依然として本発明の利点を発揮させるために、これらおむつ位置保持目的に適うようできるだけ小さな面積を有している。この点に関し、臀部接触領域保持帯域４００，４０２はそれぞれ、片面につき約０．０１平方インチ〜約１６平方インチ、好ましくは片面につき約０．２５平方インチ〜約１０平方インチ、最も好ましくは片面につき約１平方インチ〜約３．５平方インチの合計面積を有するのがよい（なお、１平方インチは、約６．４５ｃｍ２  である）。また、静摩擦係数の比較的高い一体の連続領域である臀部接触保持帯域、例えば、図１に示すような全体として矩形の形態をした保持帯域４００，４０２に加えて、変形例として、それぞれの保持帯域を、高い静摩擦係数を示さない介在領域を設けた状態で、幾つかの薄い実質的に互いに平行なストリップ（図２０参照）又は任意の都合のよい幾何学的形態、例えば、円、矩形、長円形等のものであるのがよい密に間隔を置いたスポットの形態で設けてもよい。
【０１７９】
互いに間隔を置いたスポットの形態で設けられる場合、スポットの設けられた面積の合計は、臀部接触領域内であるにせよウエスト接触領域内であるにせよ、臀部接触領域については片面につき好ましくは約３．５平方インチ、腰部接触領域については好ましくは約３．５平方インチであるが、個々の静摩擦係数の高いスポットの合計面積は好ましくは、上述の特定した範囲内にあるべきである。さらに、別法として、保持帯域４００，４０２は、おむつの横方向中心線と実質的に平行な長軸を備えた１以上の薄い細長い領域の形態をしていてもよく、或いは、おむつの長手方向中心線と実質的に平行な長軸を備えた１以上の薄い細長い領域であってもよい。
【０１８０】
摩擦係数を所望通りに増大させるよう使用できる保持帯域を提供する適当な方法としては、静摩擦係数の比較的高い材料で作られた被膜又はパッチが挙げられる。被膜としては、感圧性材料又は粘着性材料から成る被膜が挙げられるが、これらには限定されない。パッチは、衣料品の臀部接触領域と後側腰部領域のいずれか一方又は両方のウエストバンドの内面にくっつけられ又は他の方法で連結される薄いフィルム等の形態であるのがよい。適当な被覆材料の例は、ポリマー材料、例えば、冷えると可撓性を示すホットメルト再密封性接着剤、ゴム系材料（固形ゴム及びゴム系フォームを含む）、及び使用中着用者の身体上の定位置におむつを保持するのに十分な摩擦特性を備えた任意のラテックス又はホットメルト材料である。具体的には、以下に記載する材料から作られた被膜が適している。
【０１８１】
エチレンビニルアセテートコポリマー（これは、ホットメルト又は水性被膜として被着できる。最適候補物質は、少なくとも２０％ビニルアセテートを含む。）
ポリビニルアセテート（これは通常、水性エマルションの状態で用いられる。）
スチレン（これは、ブタジエン−エマルション又はホットメルトとして被着される。）
セルロースアセテートブチレート（これは通常、ホットメルト被膜である。）
エチルセルロース（これは通常、可塑剤及び樹脂とブレンドされ、ホットメルトとして被着される。）
アクリル樹脂（これは、通常、ブレンドされていないエマルション系である。）
合成ゴムホットメルト（これは、エラストマー及びスチレンブロック、ゴム、樹脂及び可塑剤配合物を有するKraton（登録商標）ブロックコポリマーである。）
他のホットメルト（これは、ポリエチレン（単独又はブレンド状態）、ポリアミド等である。）
適当な代表的な被膜組成物は、エチレン−ビニルアセテートコポリマー、メタクリル酸のアクリルターポリマー、アクリルコポリマー、エチレン−ビニルアセテート／樹脂ラテックスエマルション、エチレン−ビニルアセテートホットメルト接着剤、合成ゴム（エラストマー及びスチレン成分とのブロックコポリマー）ホットメルト接着剤、及びポリビニルアセテート／樹脂エマルションである。かかる材料は、とりわけH. B. Fuller Company、E. I. DuPont及びFindley Adhesives から入手でき、不織物及び（又は）紙のためのバリヤ被膜のホットメルト及び水性被膜として用いられている。当業者であれば、他の被覆材料も又、使い捨ておむつの内面の静摩擦係数を局所的に大きくするのに利用できることは理解されよう。
【０１８２】
かかる材料は、被膜として被着されると、好ましくは、おむつのウエストバンドの一部の最も内側に位置する皮膚に向いた表面の上に位置すると共に上述の大きさの面積を備えた実質的に一様な厚さの被膜を生じるように被着される。加うるに、着用者に対する快適さを一段と増すという観点から、本発明の保持帯域を形成するのに用いられる被膜は好ましくは呼吸性であり、或いは、被覆された保持帯域全体にわたり複数の小さな間隔を置いた状態の孔を設けることにより多孔性のものとされる。
【０１８３】
当業者に知られている多くの方法を用いて静摩擦係数の高い被覆材料を被着させることができる。被覆方法としては、押出し被覆法、スロット被覆法、グラビア印刷法及びスクリーン印刷法が挙げられるが、これらには限定されない。さらに、公知の被着方法を用いると、所望領域内に高い静摩擦係数を示す材料をばらばらの繊維の形態で被着させることができる。適当な材料の例としては、上述の繊維質ポリマー材料のうちの任意の繊維のメルトブロー法又はスパンボンド法による被着が挙げられる。
【０１８４】
被膜を原料供給業者の工場（即ち、おむつのウエストバンド又は側部パネル内に入れられる不織布の供給業者）のところで被着させてもよく、或いは、おむつの製造中にオンライン方式で被着させてもよい。また、被膜をウエストバンド又は側部パネル構造の一部を形成する弾性積層材料の活性化前又は後に被着させてもよい。
【０１８５】
保持帯域４００，４０２を別々に形成し、しかる後、おむつの内部ウエストバンド又は側部パネルに適当に固定されるパッチの形態で設けてもよい。パッチとして被着する場合、保持帯域を、薄く且つ可撓性であり、おむつのウエストバンド又は側部パネルの最も内側に位置する皮膚に向いた表面にくっつけることができ又は他の方法でしっかりと取り付けることができる多数の異種材料で作るのがよい。かかるパッチの構成材料の例としては、ポリマーフィルム、例えばポリ塩化ビニリデン、有孔ポリマーフィルム、繊維不織布、スクリム、スクリムネット又は繊維フロック加工物質が挙げられ、これらは、下に位置する基材の静摩擦係数を大きくするための表面塗布型粘着付与剤が添加される場合と添加されない場合がある。パッチは好ましくは多孔性又は呼吸性であり、これらを、１９７６年１１月２日にSisson氏に付与された米国特許第３，９８９，８６７号（発明の名称：Absorptive Devices Having Porous Backsheet）に開示された形式の多孔性フィルムから作るのがよく、かかる米国特許の内容全体を本明細書の一部を形成するものとしてここに引用する。
【０１８６】
不織ウェブで形成されたパッチは、エラストマーの崩壊又は分解、融点及び可撓性を制御するよう設けられる他のポリマーで重合又はこれと配合されたエラストマー成分、例えば天然ゴム及びイソブチレンを含む任意のゴム状組成物であってよい。不織ウェブは、Ａ−Ｂ−Ａ′ブロックコポリマーの重量を基準として少なくとも約１０％を占めるミクロ繊維を含むのがよく、ここで、Ａ及びＡ′はそれぞれ、スチレン部分を含む熱可塑性末端ブロックであり、Ｄは、エラストマーポリ（エチレンブチレン）中間ブロックであって、ポリオレフィンの重量を基準として０％〜約９０％であり、オレフィンは、Ａ−Ｂ−Ａ′ブロックコポリマーと配合され、高温及び高圧条件の組み合わせの作用を受けると、Ａ−Ｂ−Ａ′ブロックコポリマーと共に配合形態で押し出されるようになっている。ポリオレフィン材料を、ポリエチレン、ポリプロピレン、ポリブテン、エチレンコポリマー、プロピレンコポリマー、ブタンコポリマー及びこれら材料のうち少なくとも２つの配合物から成る群から選択するのがよい。米国特許第４，６６３，２２０号、第４，６９２，３７１号、第４，７４１，９４９号、第４，７８９，６９９号及び第４，８０３，１１７号は、押出し可能な組成物及びかかる組成物、特に、エラストマー不織ウェブを形成する方法を記載しており、これら米国特許の内容全体を本明細書の一部を形成するものとしてここに引用する。
【０１８７】
さらに、不織布のパッチは、ポリブタジエン又はポリアセテート中間ブロック及びポリスチレン末端ブロックとのＡ−Ｂ−Ａ′ブロックコポリマー、ポリスチレン−ポリエチレンブチレン−ポリスチレンブロックコポリマー樹脂及びかかる樹脂とこれらの可撓性及び崩壊又は分解を制御する物質との配合物を含むのがよい。かかる組成物は押出しが容易であり、容易に繊維ウェブの状態に形成できる必要があることは注目されるべきである。
【０１８８】
本明細書で説明する保持帯域を提供する際、衣料品のこれら保持帯域のところでの高い静摩擦係数は好ましくは、おむつの身体向き表面の主要部分の摩擦係数よりも少なくとも約５００％ほど大きいものである。これら身体向き表面の中には、トップシート２４及び弾性的に伸長可能な側部パネルの主要部分、例えば前側伸長性耳部４６の身体向き表面及び後側伸長性耳部４８の身体向き表面が含まれ、これらは各々、おむつの内側の皮膚に向いた表面を形成している。有利には、保持帯域のところの高い静摩擦係数は、約０．３〜約４．０、好ましくは約０．４〜約２．０、最も好ましくは約０．７〜約１．５の範囲にわたるのがよい。かかる保持帯域をかかる衣料品中に設けると、衣料品を着用者の身体上の実質的にその最初に装着された位置に維持するのに必要なウエストバンドフープ応力を著しく減少させることができる。この点に関し、使い捨てプルオン式吸収性衣料品が着用者の身体上の所望の位置に装着されたままの状態を維持するための着用者の皮膚に対する衣料品の内面の通常の圧力範囲は、約０．０５ｐｓｉ〜約０．８ｐｓｉである。かかる圧力レベルが高くなると、着用者の中には、体のサイズがおむつのサイズに対して大きいので着用者の身体に対するウエストバンドの締り具合に鑑みて、ウエスト領域の周りに赤マークが生じる人がいる。
【０１８９】
静摩擦係数の高いウエストバンド保持帯域の内側の皮膚向き領域のところに設けることにより、ウエストバンドのフープ応力、及びその結果としてのウエストバンドが皮膚に及ぼす圧力を減少させることができる。静摩擦係数の高い表面を設けることにより、おむつの重量が身体の廃棄物の吸収により増大しても、それほど赤マークを生じさせずにおむつを実質的にその最初の装着されたままの位置に保持することができる。
【０１９０】
所与の静摩擦係数の値は、Heidon 14DR 表面特性試験機を利用する試験手順に基づいている。試験は、２５℃、５０％の相対湿度で行われ、標準の４００やすり磨き（ＪＩＳ）鋼板を、静摩擦係数が検査される材料が置かれる基板として用いた。試料としての材料を３０ｍｍ×３０ｍｍ圧子に取り付けてこれがその主要面のうちの１つを完全に覆うようにした。検査対象の材料が延伸可能な場合、試験をHeidon 14DR 試験機の可動ベースの移動方向に垂直に配置された延伸方向で行った。単一の移動モードを、６００ｍｍ／分の移動速度で採用した。種々の垂直荷重を加え、圧子上に取り付けられた試料と標準鋼板との間の静摩擦係数を供給業者の提供した解析プログラムを用いて求めた。
【０１９１】
静摩擦係数の増大した材料のパッチを達成できる例示の方法は、熱接着した２つの互いにはっきりと異なる材料の積層品を提供することにある。材料のうち一方は、取扱いが容易な程度の本体を有するのがよく、他方は、単独で取り扱うのが難しいが、比較的高い摩擦係数を有するものである。かかる静摩擦係数の高い材料は、弾性ネット材料の形態をしたエラストマースクリム、例えば、構造が図６に示されているエラストマースクリム１２４として上述したものであるのがよい。エラストマースクリムは代表的には、約３．０台の比較的高い静摩擦係数を有している。かかるエラストマースクリム材料の１つは、ミネソタ州ミネアポリス所在のConwed Plastics Company からＸＯ２５１４として入手できる。Conwedエラストマースクリム材料は、スチレン−ブタジエン−スチレントリブロックコポリマー材料から作られたネットである。このスクリムは、複数の互いに間隔を置いた実質的に平行な第１のストランド及び複数の互いに間隔を置いた実質的に平行な第２のストランドの形態をしており、ここで第１及び第２のストランドは、互いに実質的に直角に配置されている。さらに、第１のストランド及び第２のストランドは、凝集性のエラストマーウェブを構成するよう互いに接合され、この凝集性エラストマーウェブは、それぞれ互いに結合された第１及び第２のストランドによって境界づけられると共に構成される複数の実質的に矩形の解放領域を有している。Conwedスクリムの厚さは、約０．５〜約１．５ｍｍであり、解放面積は約８０％、基本重量は約１２０ｇｓｍであり、かかるConwedスクリムは、側部エラストマー材料１２４について上述した伸長特性と符合している。
【０１９２】
エラストマースクリムは、薄い非常に可撓性のシートの形態をしており、かかるシートは、可撓性が高いので、高速生産条件ではそれ自体取り扱うことが困難である。したがって、エラストマースクリムは好ましくは、可撓性の低いベース材料のシートと結合され、取り扱いが容易であって所望の弾性を備え、しかも、その一方のフェース上の摩擦係数が所望程度に高いパッチが提供される。適当なベース材料もまた、少なくとも一方向においては伸長可能であることが必要であり、このベース材料は、これは接合されるエラストマースクリムと一緒に伸長可能であり、それにより、パッチが接触するようになった身体表面の輪郭に合致することができるようになっている。パッチ積層品に用いられる適当な不織布は、日本のNisseki Corporation から“MID MILIFE”として入手できる。不織布としてのMILIFEの基本重量は２０ｇｓｍであり、これは、スパンボンド法を用いてポリエステル（ＰＥＴ）繊維から作られ、このスパンボンド法は、機械の横方向の極限伸びが２００％以上の機械の流れ方向への配向度の高い繊維ウェブをもたらす。
【０１９３】
高い静摩擦係数のパッチを形成するには、例えば全体を図１５に示すような装置を用いることによりスクリムとベース不織布を互いに接合するのがよい。スクリム５００は、不織布５０２の表面上に置かれ、スクリム及び不織布は、一対の互いに反対側に位置した平らな加熱式圧力板５０６，５０８相互間に配置される。スクリム５００は、圧力板５０６，５０８によって不織布５０２の表面５０４内へ押し込められてこれに結合され、ついには、スクリムが、不織布の表面内に永続的に取り付けられると共にこの中に埋め込まれるようになる。
【０１９４】
パッチを形成する積層法における幾つかの手順又は工程が、図１６〜図１８に示されている。まず最初に、圧力板５０６，５０８の向かい合った平らな表面を図１６に示すように互いに間隔を置いて配置し、約９０℃〜約１００℃台の温度まで加熱し、この温度は、不織布５０２の高融点ＰＥＴ繊維を溶融させないほど低いが、不織布の繊維をそのままの状態に維持し、そして又、この温度は、スクリム５００を十分に軟化させて粘着性となり、これを不織布の表面内に押し込んでこれにくっつけることができるほど高い。スクリム５００及び不織布５０２を、互いに重ね合わせた関係で圧力板５０６，５０８相互間に配置する。
【０１９５】
図１７に示すように、圧力板５０６，５０８を互いに近づけてスクリム５００及び不織布５０２を加圧してこれらを密接した関係にする。接触圧力、圧力板温度及び滞留時間は、スクリムが不織布の表面内に押し込まれることができ、そしてこの中に少なくとも部分的に埋め込まれるのに十分軟化するように選択される。次に、圧力板５０６，５０８を図１８に示すように引っ込め、積層されたスクリムと不織布複合材５１０を取り出して使用のために放冷する。図１８に示すように、複合材５１０の一方の面は、埋め込まれた状態のスクリム材料を有し、スクリム構成要素の一部は、不織構成要素の表面上に僅かに延びている。スクリムが埋め込まれた複合材５１０の表面の静摩擦係数は、約２．８〜約３．０である。
【０１９６】
複合材５１０を、図１に使い捨てパンティー物品２０の一部として示されたウエストバンド帯域３７として使い捨てプルオン式吸収性パンティー物品に組み込むことができる。この複合材は、着用者の身体への好ましい着用位置での物品の保持性の向上という観点から物品の性能を向上させた滑り止めの向上を物品２０にもたらす。
【０１９７】
図１９は、ウエストバンド帯域３７の断面図であり、その好ましい構造的配置関係を示している。ウエストバンド帯域３７の最も外側の層は、不織布（例えば、Fiberweb  ＨＥＣ不織布）のバックシート層５２０によって構成されている。バックシート層５２０の内側には、不織布（例えば、MILIFE不織布）の中間層５２２が設けられ、中間層５２２の内側には、着用者の身体に向いた静摩擦係数の高い表面を有する複合材５１０のベルト状層が設けられている。
【０１９８】
着用者の腹部及び背部に接触し、吸収性心材２５の終端する領域上に位置決めされるウエストバンド３７の選択された身体向き部分を、静摩擦係数の比較的低い材料で構成するのがよい。この点に関し、ストリップの形態をした圧密化不織布（例えば、FiberwebのＤＡＰＰ）の矩形層５２４を、ウエストバンド３７の背部及び腹部のところで複合材層５１０の部分に対し上に位置してこれを被覆する関係に設けるのがよい。層５２４を上述の種類の適当な接着剤によってウエストバンドに接着するのがよい。その目的は、物品の側部パネル上に配置され、着用者の臀部の上に位置するウエストバンドの部分だけを着用者の皮膚に当てることができるようにすることにある。その結果、図２０に示すように、ウエストバンド３７の臀部接触部分は、所望程度の滑り止めをもたらす静摩擦係数の高い露出したスクリム材料を含む複合材層５１０を有する。
【０１９９】
図１９及び図２０に示すウエストバンド構造を用いると、衣料品を着用した時に通常ウエストバンド内で生じるフープ応力を減少させることができる。滑り止めの度合を好ましいウエストバンド構造を用いて向上させると、吸収性物品を最も効果的に機能を発揮させるためにその所望の着用位置に保持する上で同一の引張度がウエストバンド内には必要とされない。本発明の利点をもたらすため、保持帯域を含むウエストバンド３７の周囲全体の部分は、好ましくはウエストバンド３７の各臀部接触部分のところで、約１００％、好ましくは約１０％〜約６０％、最も好ましくは約２５％〜約３５％であるのがよい。上述の百分率は、衣料品を着用者に着用させる前のウエストバンドがその弛緩して延ばされていない状態にあるときのウエストバンドについてのものである。
【０２００】
所望ならば、着用時の物品の保持性を向上させるため使い捨て吸収性物品のウエストバンド帯域内に保持帯域を設けることに加えて、或いはこれに代えて、構造体の耳又は側部パネルは、衣料品の滑り止めの度合を向上させる保持帯域を備えるのがよい。この関係で、静摩擦係数の大きな上述の積層品を衣料品のウエストバンド帯域内に用いることと関連して、かかる積層品を用いて耳又は側部パネル要素の領域の少なくとも一部を形成するのがよい。例えば、図２０を参照すると、図示のおむつの各側の耳部４６，４８の内部皮膚向き表面は、上述中の構造を備えた静摩擦係数の大きな複合材５１０によって構成される１又は２以上の領域を有するのがよい。おむつ構造のこれら要素の皮膚接触面積が大きいと、大きな面積の保持帯域が得られ、それにより、おむつをその所望の着用位置に維持しやすいようになると共におむつが着用者の身体に対して下にずり落ちる傾向を減少させるのに役立つ。この点に関し、おむつの両側の耳部４６，４８上のかかる保持帯域の皮膚接触面積の合計は、約１３平方インチ、好ましくは約３．５平方インチ〜約１１平方インチ、最も好ましくは約５平方インチ〜約６．５平方インチである。
【０２０１】
おむつの耳部のところにおける皮膚接触面積はウエストバンド領域のところにおける皮膚接触面積と比べて潜在的に大きいので、耳パネル中に、上述の複合材料５１０の静摩擦係数よりも幾分低い静摩擦係数の材料を用いることができる。この点に関し、静摩擦係数を保持帯域の面積に基づいて選択することができ、即ち、皮膚接触面積が大きければ大きいほど、実質的に同一の保持力又は滑り止めの度合を得るのに必要な材料の静摩擦係数がそれだけ一層低くなる。かくして、露出したエラストマースクリムの静摩擦係数よりも幾分低い静摩擦係数のパネルを設けることができる。ベース不織布、例えばＨＥＣ、即ち、サウスカロライナ州シンプソンビル所在のFiberweb Corporationから入手できる高伸び率カーディング加工不織布を、例えば熱圧延法によりＥＶＡとKratonメルトブロー法処理繊維の配合物の層と結合する。繊維によって構成される表面の静摩擦係数は、約０．７であり、これは、市販の不織布の静摩擦係数の２倍以上である。このようにして形成されたパネルを、吸収性物品の側部パネル、例えば図２に示す物品の耳パネル１０，１１の皮膚向き表面として用いることができる。好ましくは、側部パネルに含まれるかかる高静摩擦係数の保持帯域の面積は、約１３平方インチ、より好ましくは、約３．５平方インチ〜約１１平方インチ、最も好ましくは約５平方インチ〜約６．５平方インチである。
【０２０２】
約１，５００ｇｍのおむつと皮膚との間の滑り抵抗力をもたらす保持帯域は一般に、おむつの過度の垂れ落ち又はずり落ちを防止すると共に着用者の皮膚に赤マークが付く傾向を最小限に抑えるのに有効である。好ましくは、滑り止めの度合は、少なくとも約１，０００ｇｍ、より好ましくは少なくとも約１，５００ｇｍ、最も好ましくは約２，１００ｇｍである。
【０２０３】
使い捨ておむつの滑り止めの度合を、図１１に示す横断面を有するが、脚部を備えていないマネキンタイプの要部プロフィールを準備することにより測定することができる。このプロフィールは、１１０ｍｍの高さ、４９２ｍｍの周長を有し、スチロフォームで作られている。人間の皮膚を真似た材料が、マネキンの外面に被着されている。好ましい材料は、BIOSKIN と呼ばれる製品であり、これは、日本のBeaulax Company から入手できるポリウレタン材料であり、これを、日本国東京のCemedine  ＫＫから入手できる接着剤、例えばCemedine  ＥＰ００２によってマネキンに取り付けることができる。BIOSKIN 材料は、次の物理的特性を備えている。
【０２０４】
寸法−１９５ｍｍ×１３０ｍｍ×５ｍｍ
剛性−２５℃においては０〜５のショアＡスケール硬さ
引張強さ−２３℃においては１８〜２０kg／cm２
引裂強さ−２３℃においては３〜５kg／cm２  以上
増大範囲−４５０〜５００％
変態温度−９０℃
滑り止め試験方法を実施する際、穴をマネキンを中心に開け、このマネキンを、架台に取り付け、Instron 試験機の一方のプレートに連結する。次に、おむつを、Instron ロードセルに接続し、マネキン上の着用位置に取り付ける。おむつが５分間の間にマネキン上で弛緩するようにする。ロードセルを、１分間につきマネキンに対して２０ｃｍ軸方向上方に動くようプログラムし、荷重（ｇｍｆ）を変位量（cm）の関数として注目する。ピーク荷重（ｇｍｆ）を、種々の市販のおむつについて求める。滑り止めの度合は、おむつの周囲のところでのピーク荷重（ｇｍｆ）である。製品の各々について製品着用力（腰部周長が４９２ｍｍの場合）を求め、製品着用力及び滑り止めの度合を用いて正規化された製品滑り止めの度合を求める。
【０２０５】
現在市販の使い捨て吸収性物品に含まれる通常の皮膚接触材料よりも静摩擦係数の著しく高い保持帯域を提供することに加えて、本発明は、かかる構造の選択された皮膚接触領域のところに静摩擦係数の低い滑り帯域を設けることも又、提案している。静摩擦係数が約０．２以下のかかる滑り帯域又は摩擦係数の低い帯域を設けることによりかかる物品の着用者の身体への着脱が容易になる。この点に関し、図２を参照すると、一般に物品の着脱を容易にすることに対して比較的高い抵抗を示すかかる物品の帯域としては、脚部側縁１５３，１５６，１５８、前側ウエストバンド領域６及び脚部通し穴に隣接した衣料品の内面、例えば、脚部フラップパネル４が挙げられる。これらの領域の静摩擦係数を約０．１５以下のレベルに減少させることにより、着用者の身体の特定の領域、例えば、前側腰部領域及びおむつの脚部通し穴によって包囲された太腿領域のところで受ける抵抗力を著しく減少させることができ、これらの領域では、脚部側折返し部及び脚部通し穴のところでの弾性により、皮膚に対するおむつ構造の比較的高い圧力又は皮膚に対する大きな擦過力がかかる衣料品の着脱中に生じる場合がある。かかる摩擦係数の減少を生じさせる適当な材料としては、パッチ形態の材料、例えば、絹及びポリエチレンから作られたメルトブロー又はスパンボンド繊維を含むシート材料が挙げられる。
【０２０６】
別の利点として、使い捨て吸収性物品の着脱を容易にすることに加え、物品の皮膚接触面上に、比較的静摩擦係数の高い帯域及び比較的低い静摩擦係数の帯域を選択的に設けることによっても、物品を着用した期間中における物品の快適性及び機能性が向上する場合がある。かくして、物品の皮膚接触面のところに、着用者の身体の運動中着用者の皮膚に対して動く滑り帯域を設けることにより、皮膚の擦過傷を減少させることができると共に、その結果として赤マークが付くのを減少させることができる。かかる相対運動の度合の高い帯域としては、物品の前側腰部、より具体的には、着用者の腹部の上に位置する領域及び静摩擦係数の低い表面を生じさせるのが有利な脚部側折返し部のエッジが挙げられる。物品を最適の機能性が発揮される位置に保持するのに役立つよう静摩擦係数の高い表面を、物品の相対運動の度合の低い帯域、例えば、脚部の折りじわ、臀部接触側部、及び股の折りじわのところに設けるのがよい。相対運動の度合の低い帯域のところに静摩擦係数の大きな表面を、そして相対運動の度合の比較的高い帯域のところに静摩擦係数の低い表面を巧妙に設けることにより、物品は事実、着用中に着用者の身体に対して自動調整可能となり、それにより、物品を着用者の身体上のその好ましい位置に維持し、皮膚の擦過傷を最小限に抑え、しかも、物品のフィット具合と物品の重要な機能要素、例えば吸収性心材及び脚部側折返し部の着用中における位置決めの両方に対して大きな制御の度合いが得られる。
【０２０７】
静摩擦係数の比較的高い材料でできたパッチの形態で保持帯域を設けることに加えて、本発明は、例えば図１２及び図１３に示すような保持材料の内側バンド４５０の形態をした保持帯域を設けることを特徴としている。バンド４５０は、図示のように、着用者に向いて着用者の皮膚に接触するようになった外側フェース４５２及びウエストバンド４５８の内面４５６に向いた内側フェース４５４を備えた細長い全体として矩形のパネルであるのがよい。内側フェース４５４の一部が、シーム領域４６０に沿っておむつのウエストバンド４５８の内面に固定されている。シーム領域は、バンド４５０とウエストバンド４５８との間に、接着剤、ヒートシール又は当業者に知られている他の公知の連結手段により行うことができる連結部を定めることができる。
【０２０８】
バンド４５０は、軟らかくて非刺激性の材料でできた薄い可撓性シート、例えばポリマーシート、不織布等であってもよい。好ましくは、バンド材料は、不織ベース材料及び不織布の表面内に押し込まれるスクリムを有する上述したパッチ材料から作られる。バンド４５０の非取付け部分は、シーム領域４６０の最も下に位置する縁４６４の回りに回動できるフラップ４６２を構成する。
【０２０９】
バンド４５０の外側フェース４５２は好ましくは、約０．２〜約０．３程度の比較的低い静摩擦係数を有し、したがって、おむつを着用者の脚部上を引き上げて胴体の下部に取り付けると、静摩擦係数により、おむつの着用を、着用者の皮膚に対するおむつのウエストの内面の摺動運動に対して過度の抵抗を生じないで行うことができる。かかる比較的低い静摩擦係数を、バンド材料の適当な選択により得ることができ、或いは、摩擦の少ない適当な表面をバンドの外側フェース上に被着させることにより得ることができる。適当な低摩擦表面の例としては、絹、スパンボンドポリエチレン繊維の層、或いは、サウスカロライナ州シンプソンビル所在のFiberweb Corporationから入手できる高伸び率カーディング加工不織布、例えばＨＥＣが挙げられる。
【０２１０】
外側フェース４５２の静摩擦係数は比較的低いが、内側フェース４５４の静摩擦係数は好ましくは、比較的高い。静摩擦係数が比較的高いことが望ましいが、その理由は、もしおむつが着用者の身体に対して下方に滑ると、着用者の皮膚に対するバンド４５０の摺動運動に起因して摩擦力が制限され、それにより、フラップ４６２が縁４６４の回りに回動し、縁が事実上、ヒンジ又はピボット軸線として作用するようになるからである。したがって、おむつがその最初の当てられたままの位置から下方にずり落ち始めると、フラップ４６２を縁４６４の回りに回動させてフラップ４６２の内側フェース４５４が着用者の皮膚に接触するようにする。したがって、内側フェース４５４上に比較的高い静摩擦係数をもたらしておむつのその所期位置からのそれ以上の下方運動を阻止するようにする。この点に関し、内側フェース４５４の静摩擦係数の好ましい範囲は、約０．３〜約４．０、より好ましくは、約０．４〜約２．０、最も好ましくは約０．７〜約１．５である。外側フェース４５２の好ましい静摩擦係数は、約０．２以下、より好ましくは約０．１５以下である。かくして、バンド４５０は、おむつ２０の着用に対する補助手段として役立つと同時におむつ２０をその好ましい着用位置に配置した後においてはおむつ２０の保持のための補助手段としても役立つ。
【０２１１】
上に位置したままの使い捨て吸収性物品、例えば使い捨ておむつを提供することを含む本発明の利点はまた、特定の材料をパッチ又は被覆形態で追加しなくて達成できる。かくして、静摩擦係数の高い互いに別々の領域を有する使い捨ておむつもまた、おむつの構造全体と一体の構造的配置状態で提供することができ、即ち、専用の互いに明確に区分された別々の静摩擦係数の高い材料を別途必要とすることがないおむつを提供することができる。この点に関し、使い捨ておむつと関連して上述した基本的なウエストバンド構造を設計変更して、おむつのウエストバンド内部に配置される弾性材料が選択的に露出されるようにしてもよい。かかるウエストバンド構造内に通常設けられる弾性材料は代表的には、おむつの内側の身体向き表面を構成する他の材料よりも静摩擦係数が高い。弾性材料は、選択された時期に、しかもおむつをその好ましい着用位置に保持するのが必要な場合又はそのようにすることが望ましい場合、露出させられて着用者の皮膚に直接接触するようになる。
【０２１２】
かかる設計変更が施されたウエストバンド構造の一形態が、図２１に示されている。ウエストバンド６００は、着用者の身体から遠ざかる方向に向いた外側表面材層６０２及び着用者の身体に向いた内側表面材層６０４を有する連続周囲構造部材である。層６０２，６０４は、少なくとも１つの中間層６０６で互いに分離された状態でこれに接合されており、この中間層６０６は、内側表面材層６０４よりも静摩擦係数の高い弾性材料の層を構成するか、或いは有している。ウエストバンド構造のそれぞれの層を互いに接合することは、上述の接着剤のうちの１つである適当な接着剤、或いは変形例として、熱接着、又は他の適当な接合構造を用いて行うことができる。
【０２１３】
設計変更が施されたウエストバンド構造は内側表面材層６０４を有し、この内側表面材層は、内側表面材層６０４の最も下に位置する縁又はエッジ６１０から上方に延び、最も下に位置するエッジ６１０と最も上に位置する縁又はエッジ６１２との間で終端する複数の実質的に直線状の切欠き６０８を有している。切欠き６０８は、内側層６０４を完全に貫通した切れ目又はスリットの形態であるのがよく、これら切欠きをウエストバンド６００の内周部の周りに所定の円周方向位置のところに配置するのがよい。対をなす隣り合う切欠き６０８相互間の内側層６０４の領域は、中間層６０６の弾性材料には完全には接合されておらず、その代わり、図２２に誇張した形態で示すようにだらりと垂れ下がることができるようになっている。一対の互いに間隔を置いた切欠き６０８相互間の内側層６０４の非接合部分６１３は、それぞれ回動自在なカバーフラップ６１４を構成し、カバーフラップ６１４は、これらが図２２に示す位置にあるとき、中間層６０６の弾性材料の隣接したその下に位置する領域６１５の上に位置した状態でこれを覆っている。
【０２１４】
おむつがその最初に当てられたままの好ましい着用位置からずり下がり始めると、カバーフラップ６１４は、中間層６０６の弾性材料の領域６１４を露出させるよう回動し又は持ち上げられるようになっている。中間層６０６に対するフラップの回動又は持ち上げは、着用者の身体に対するウエストバンド６００の下方運動中に行われ、その結果、引張力がカバーフラップ６１４に加わり、これにより、フラップは、内側層６０４と中間層６０６との間の接合領域の最も下に位置するエッジによって構成可能なピボット線６１６の回りに回動するようになっている。
【０２１５】
おむつが着用者の身体に沿って十分な距離下方に動いた後、カバーフラップ６１４はピボット線６１６の回りに回動して弾性部材の領域６１５を開くと共にこれが着用者の皮膚に対して露出するようにする。露出した弾性材料は、中間層６０６の一部を構成し又は形成しており、かかる弾性材料は、内側層６０６の身体向き表面よりも著しく高い静摩擦係数を有しており、少なくとも約１．５、好ましくは約２．０台以上である。弾性材料が着用者の皮膚に接触すると、弾性材料の露出領域と着用者の皮膚との接触により生じる摩擦抵抗力は、おむつのそれ以上の下方運動が生じにくいようにし、おむつを有効に機能を発揮する位置に保持するのに役立つ。
【０２１６】
カバーフラップ６１４の形態の非接合領域を、ウエストバンドの臀部接触部分に設けておむつ構造の各側で互いに反対側に位置した内面の一方又は両方に臀部接触カバーフラップを構成するようにしてもよい。さらに、背部に接触するカバーフラップの形態をした１以上の非接合領域を、臀部接触カバーフラップに加えて或いは臀部接触カバーフラップに代えて着用者の背部に接触するおむつのウエストバンド構造の部分に隣接して設けてもよい。個々のカバーフラップは、各々の周長が約０．５インチ〜約１２インチ、好ましくは約１インチ〜約２インチの複数の隣り合う又は間隔を置いたカバーフラップであってよく、或いは、これらは、比較的大きな一体の円周方向カバーフラップであってもよい。この点に関し、カバーフラップは、ウエストバンドの内周の約７５％、好ましくは約５０％、最も好ましくは約２０％を占めるのがよい。もし複数の周長が比較的短いカバーフラップを設ける場合、好ましくは、個々のフラップの周長は、約０．１インチ〜約５インチ、より好ましくは約０．２５インチ〜約３インチ、最も好ましくは、約０．５インチ〜約１インチである。（なお、１インチは、２．５４ｃｍに相当する。）
１以上の回動自在な別々のカバーフラップを有するウエストバンドの構造は、図２１及び図２２に示すようなものであるのがよい。ウエストバンド材料の内側層６０４及び外側層６０２はそれぞれ、上述のものの性状を備えた不織布であるのがよい。内側層６０２と外側層６０４との間の中間層６０６の一部を形成する弾性材料は、弾性スクリム、例えば上述すると共に図６及び図１５に示すエラストマースクリムであるのがよい。さらに、弾性材料は、複数の円周方向に設けられたバンドの形態をしているのがよい。さらに、弾性ウエストバンド材料を利用する代わりに、上述したこれよりも静摩擦係数の高い材料を所望ならば用いてもよい。
【０２１７】
２以上の一体形の円周方向に間隔を置いた回動自在なフラップの代わりに又はこれに加えて、これよりも小さい複数のフラップを設けてもよい。図２２Ａに示すように、内側表面材層６０４は、複数のフラップ６１８を有するのがよく、この場合、各フラップ６１８の小さい方の寸法は、おむつの構造の長手方向中心線１００に平行な方向に向いている（図３参照）。図２２Ａに示す小さなフラップ構造は、図２２に示す一体形の大きなフラップで得られるおむつ位置を保持する上での利点と類似したおむつの位置を保持する利点を発揮するが、フラップの寸法が小さいので、着用者の身体に対するおむつの下方の滑りは小さいものであるようになっている。かくして、図２２Ａに示すフラップ寸法ｈを小さくすることにより、保持特徴は、おむつの下方への滑りが始まるといっそう迅速に効果を発揮する。
【０２１８】
構造上の別の変形例として、おむつのウエストバンドの弾性材料は、図２３に示すように多孔性の肉眼で見えるほどに拡張させた３次元エラストマーウェブ６３０の形態をしていてもよい。エラストマーウェブ６３０は、ウェブの外方に向いた表面を構成するよう互いに間隔を置いた不連続の外面６３２と不連続の内面６３４を有している。好ましくは、ウェブ６３０は成形フィルムであり、これは、少なくとも２つのポリマー層を有するのがよく、これら層のうち少なくとも一方は、外側のエラストマー層６３６であり、他方の層のうち少なくとも１つは、実質的に可撓性の低い内側層６３８である。
【０２１９】
エラストマーウェブ６３０は、外面６３２に多数の孔６４０を有している。孔６４０は、外面６３２の平面内に位置し、相互連結部材６４２から成る連続網状構造によって境界付けられている。各相互連結部材６４２は、外面６３２から内面６３４までその長さに沿って内方に広がる断面を備えている。相互連結部材６４２は、ウェブ６３０の内面６３４の平面内に位置する内側孔６４４を構成するよう内面６３４のところで終端している。かかるエラストマーウェブ構造の細部及びこれを製造することができる方法が、１９９７年３月１４日に出願された米国特許出願第０８／８１６，１０６号に開示されており、かかる米国特許出願の開示内容全体を本明細書の一部を形成するものとしてここに引用する。好ましい多孔性エラストマー材料は、バージニア州リッチモンド所在のTredegar Industries. Inc. からＸ−２５００７という商品名で入手できる。
【０２２０】
外側孔６４０は、任意所望の形状のものであってよい。しかしながら、好ましくは外側孔６４０は、互いに垂直な長軸と短軸を有する形状、例えば、長円形又は楕円形のものである。好ましくは、長軸は、おむつの着用期間中、エラストマーウェブに及ぼされる歪み誘起応力にほぼ直交して差し向けられている。
【０２２１】
本発明のおむつウエストバンド構造の別の変形例が、図２３Ａ及び図２３Ｂに示されている。これらの図は各々、ウエストバンドの身体向き表面を構成し、静摩擦係数の比較的高い材料の上に位置した設計変更が施されたウエストバンド内側層６０４Ａを示している。層６０４Ａは、伸長性材料、例えば、上述の形式の不織布で作られたものであるのがよいが、連続していて構造が途切れていない伸長性層６０４Ａに代えて、互いに間隔を置くと共に層６０４Ａを構成する材料を完全に貫通した複数の比較的短く実質的に直線状の切れ目又はスリット６５０を有している。
【０２２２】
図２３Ａに示すように、スリット６５０は、おむつ構造の長手方向中心線１００（図３参照）の方向に延びている。全体として整列したスリット６５０から成る複数の互いに間隔を置いた実質的に平行な列６５２が設けられ、隣り合う列６５２のスリットは互いに長手方向にずれている。その結果、層６０４Ａをおむつ上のウエストバンドの円周方向と一致した長手方向中心線１００に対して横断方向に張力を受けた状態で配置すると、スリット６５０の縁は、互いに離れて複数の互いに間隔を置いた開口部６５４を形成する。かくして、開口部が層６０４Ａ内に形成されると、静摩擦係数の比較的高い材料で作られた下に位置する層は部分的に着用者の皮膚に露出されることになり、それにより、おむつを着用している際のおむつの下方の滑りに対して所望の抵抗をもたらす。図２３Ｂに誇張した形態で示すように、開口部６５４は、実質的にダイヤモンドの形状をとり、各開口部の面積は、スリットの長さ、材料の伸長性及び層６０４Ａ上に加わる引張応力（両方向を示す矢印６５６で表されている）で決まる。
【０２２３】
スリット６５０の長さは、約２ｍｍ〜約５ｍｍ、好ましくは約２ｍｍ〜約３ｍｍであるのがよく、所与の列の隣り合うスリット相互間の長手方向間隔は、約２ｍｍ〜約５ｍｍであるのがよい。さらに、スリットの隣り合う列６５２相互間の横方向間隔は、約２ｍｍ〜約５ｍｍ台のものであるのがよい。材料のシートを当業者には知られた形式の回転切断装置に通すことによりスリットを入れることができる。
【０２２４】
層６０４Ａを、弾性材料の下に位置する層、例えば、開口部６５４の形成時に露出する静摩擦係数の比較的高いエラストマースクリムに接着剤で固定するのがよい。変形例として、層６０４Ａをウエストバンド材料の下に位置する構造層に固定するのに用いられる接着剤層もまた、静摩擦係数の比較的高い材料であってよく、これは、張力を受けた状態で配置されると、層６０４Ａに開口部６５４を形成したときに接着剤を露出させることになる。接着剤を下に位置する材料層に吹き付けてもよく、或いは、これを、接着剤の付いた領域と接着剤の付いていない領域から成るパターン、例えば、螺旋パターン等をなして塗布してもよい。
【０２２５】
静摩擦係数の高い領域を構成するスクリムを被覆したり露出させる１以上の回動自在なフラップを備えた１以上の別々の帯域を設けることに加えて、所望ならば、永続的に露出したスクリムの領域を設けてもよい。この場合、ウエストバンドの皮膚向き表面の所定の領域上に延びる静摩擦係数が実質的に一様な露出スクリムの介在領域をもうけた状態でウエストバンドの内周部の１以上の部分を適当な被覆材料、例えば、本明細書において説明しているタイプの不織布で被覆する。
【０２２６】
静摩擦係数の高い領域をベース材料、例えば不織布の上に位置する材料によって構成する場合、静摩擦係数を所与の領域にわたり比較的高い値から比較的低い値に変えるような仕方でその材料を被着させるのがよい。かくして、おむつの内面に付加された材料を、所定の領域で密度の高いパターンで被着して高い静摩擦係数を生じさせ、被着した材料の密度が、ウエストバンドの円周方向に減少することができるようにし、したがって、静摩擦係数が所定領域にわたって比較的高い静摩擦係数の値から比較的低い値に変わるようにしてもよい。具体的に説明すると、メルトブロー材料の繊維を被着させることによりおむつの内面の一部の静摩擦係数を増大させると、繊維の被着密度を高い静摩擦係数をもたらす高い繊維密度から低い繊維密度に次第に変化させることができ、したがって、静摩擦係数が実質的に一様に減少するようになる。
【０２２７】
変形例として、静摩擦係数を次第に変化させる代わりに、摩擦増大材料をおむつの内面上の別々の箇所に特定の密度で被着させて静摩擦係数の高い帯域、静摩擦係数の中程度の領域及び静摩擦係数の低い帯域を構成してもよい。これら領域は各々、所与の帯域の領域内で静摩擦係数の比較的一様な値を有するのがよく、或いは、静摩擦係数が次第に変化するようにしてもよい。図２４に示すように、プルオン式おむつ２０Ｂのウエストバンド３７は、ウエストバンドの互いに反対側に位置した臀部接触領域のところに静摩擦係数の高い帯域５５０を有している。帯域５５０は、上述したような領域を有し、その静摩擦係数は約１．５〜約３．０である。ウエストバンド３７は、１以上の静摩擦係数の中程度の帯域５５２をさらに有し、各帯域５５２の面積は約１平方インチ〜約４平方インチであり、かかる帯域は、約１平方インチ〜約４平方インチの面積及び約０．２〜約１．５の静摩擦係数を有し、少なくとも１つの静摩擦係数の低い帯域５５４が、約１平方インチ〜約４平方インチの面積を有すると共に約０．０５〜約０．２０の静摩擦係数を有している。図２４に示すように、静摩擦係数の高い帯域５５０を、おむつのウエストバンド３７の側部の臀部接触部分の各々に設けると共に、さらに任意的に、ウエストバンドの背部接触部分にも設けるのがよい。静摩擦係数の低い帯域５５４を、一般に着用者の皮膚上での相対運動が、臀部接触領域及び背部接触領域の場合よりも一般に大きいウエストバンドの腹部接触領域に設けると有利である。静摩擦係数の中程度の帯域５５２を、臀部と背部のところの静摩擦係数の高い帯域５５０相互間に設けると共に臀部接触領域のところの静摩擦係数の高い帯域５５０と腹部接触領域のところの静摩擦係数の低い帯域５５４との間にも設けるのがよい。かくして、図２４に示すウエストバンド３７の内面は、ウエストバンドの静摩擦係数に円周方向に変化をつけるよう互いに異なる静摩擦係数を有する複数の別々の帯域を有することができる。
【０２２８】
静摩擦係数の異なるウエストバンド帯域を円周方向に分布して配置することに加えて、おむつは、内側ウエストバンド領域の外部に位置する静摩擦係数の変化する領域をさらに有するのがよい。例えば、図２を参照すると、摩擦係数が変化する帯域を、例えばウエストバンド６，７と股領域３０との間に延びる中央パネル８，９及び右パネル１０，１１のような領域の皮膚接触面にも設けるのがよい。
【０２２９】
図２５を参照すると、おむつ２０ｃは、ウエストバンドの内面に沿っておむつの各側に設けられた静摩擦係数の高い臀部接触帯域５５０及び静摩擦係数の高い帯域５５０の各側に設けられた静摩擦係数の中程度の帯域５６０を有している。静摩擦係数の中程度の帯域５６０は、ウエストバンド３７から脚部のエッジ５５３，５５６まで延びている。この点に関し、これら静摩擦係数の中程度の領域を構成するパネル４６，４８の内部の身体接触表面はそれぞれ、約０．２〜約１．５の静摩擦係数が中程度の値をもたらす内側被膜又は別々に被着された材料を備えるのがよい。また、トップシート２４の内面によって構成される前側及び後側パネルは、静摩擦係数が約０．０５〜約０．２０という低い静摩擦係数の材料を有するのがよい。というのは、これらの領域は、着用者が動き回ると着用者の皮膚に対して相当大きな度合の運動を生じるからであり、それにより、着用者の快適感が増すと共に皮膚とおむつの内面との間の大きな相対運動を行うこれらの領域における皮膚の刺激の度合が減少する一因となる。
【０２３０】
本明細書においては、本発明を主として、入手した時点で直ぐに着用できる状態にあり、おむつを着用者の身体に当てる人が特定の構造要素の相互取付けを行う必要のない予め組み立てられた状態のプルオン式おむつについて説明した。かかるプルオン式おむつの一例は、１９９７年１１月１１日にKenneth B. Buele氏等に付与された米国特許第５，６８５，８７４号（発明の名称：Disposable Pull-On Pant ）に開示された構造である。
【０２３１】
本発明を用いると有利なおむつ構造の別の形態は、着用者の身体に当てられ、おむつを当てる人がおむつを着用者の身体上の着用位置に保持するよう例えばテープタイプの締結具の取扱い及び取り付けによって締結要素を連結することが必要な比較的平らなおむつ構造である。入手した際に実質的に平らな状態のかかる非組立て状態のおむつ構造の一例は、１９９２年９月２９日にKenneth B. Buele氏等に付与された米国特許第５，１５１，０９２号（発明の名称：Absorbent Article with Dynamic Elastic Waist）に開示されている。Buele 氏等に付与された上述の米国特許の各々の開示内容全体を本明細書の一部を形成するものとしてここに引用する。
【０２３２】
本発明を予備成形されたプルオン式おむつと関連して上述したが、静摩擦係数の選択的に異なる領域を設けることを特徴とする本発明は又、着用される他の吸収性物品にも利用できる。プルオン式おむつ及び平らなおむつ構造に加えて、本発明を、一般に「コンバーチブルおむつ」又は「コンバーチブルベルト付きおむつ」と呼ばれている使い捨て吸収性物品にも使用できる。かかるいわゆるコンバーチブル構造は、互いに異なるやり方としての組立て及び着脱を可能にする締結システムを有している。これら変形例により、コンバーチブル構造を、予め組み立てられたプルオン式形態又は予め組み立てられた状態ではない平らな形態のいずれにも用いることができ、それにより、おむつの着脱を行う人が、物品を着用者の身体にどのように装着したりこれから取り外すかを選択することができる。例えば、コンバーチブルおむつを、おむつを着用者の脚部に沿って上又は下に引くことにより当てたり取り外したりすることができ、或いは、おむつを着用者の胴体に巻き付けて締結システムを利用してこれを着用位置に保持することにより当てることができ、そして、締結システムを外し、おむつを開いて着用者から外すことにより取り外すことができる。したがって、コンバーチブルおむつ構造は、予め組み立てられた状態のプルオン式おむつと従来型の平らな予め組み立てられていない状態のおむつとの選択を可能にする締結システムを有している。締結システムは、おむつの着脱を容易にするだけでなく着用中、汚れているかどうかの点検のためにおむつを開きやすくする。かかるコンバーチブルおむつ構造の一形態が、１９９７年８月５日に公開された米国法定発明登録第Ｈ１６７４号（発明の名称：Convertible Belted Diaper ；発明者：Kathleen Q. Ames氏等）に開示されており、かかる法定発明登録の開示内容全体を本明細書の一部を形成するものとしてここに引用する。
【０２３３】
本発明の特定の実施形態を説明したが、当業者であれば本発明の精神から逸脱することなく種々の改造例及び設計変更例を想到できることは明らかである。したがって、特許請求の範囲は、本発明の範囲に属するかかる改造例及び設計変更例を全て包含するものである。
【図面の簡単な説明】
【図１】  本発明の使い捨て吸収性プルオン式衣料品を組み立てた形態で且ついつでも使用できる状態で示す側方から見た斜視図である。
【図２】  図１の使い捨て衣料品をその平らで引き締めておらず且つ継ぎ合わしていない状態で示す平面図であり、衣料品の幾つかの部分を定める種々のパネル及びエッジを示す図である。
【図３】  図１に示す衣料品を、これが平らで引き締めておらず且つ継ぎ合わしていない状態にあるときで示す平面図であり、衣料品の幾つかの構造的構成要素の相対位置を示す図である。
【図４】  図３の４−４線矢視断面図である。
【図５】  図３の５−５線矢視断面図である。
【図６】  衣料品の弾性構成要素の構造示す分解拡大部分斜視図である。
【図７】  本発明の衣料品の連続ベルト帯域に関し、伸び率に対して力をプロットした状態のグラフ図である。
【図８】  図７に示すデータと一致した伸び率に対して伸長性係数をプロットした状態のグラフ図である。
【図９】  皮膚接触圧力を測定するのに用いられる標準型マネキンの斜視図である。
【図１０】  図９に示す標準型マネキンの側面図である。
【図１１】  図９に示す標準型マネキンの平面図である。
【図１２】  腰部領域のところでの図１に示す衣料品の内部の拡大部分図であり、内側フラップ部材を示す図である。
【図１３】  図１２の１３−１３線矢視断面図である。
【図１４】  幾つかの内側フラップ部材を含む図１の衣料品の腰部領域の部分斜視図である。
【図１５】  静摩擦係数の高い複合材を作るための材料及び装置の分解斜視図である。
【図１６】  接合作業の開始のための位置にある図１５の材料及び装置の側面図である。
【図１７】  接合作業の実施中における図１５の材料及び装置の側面図である。
【図１８】  材料を接合した後の図１５の材料及び装置の側面図である。
【図１９】  静摩擦係数の増大したウエストバンド領域を含む図１に示す物品のウエストバンド領域の平面図である。
【図２０】  ウエストバンド位置決め保持帯域を有する吸収性プルオン式おむつの斜視図である。
【図２１】  回動可能な内側フラップを有する吸収性プルオン式おむつの内側ウエストバンド領域の部分斜視図である。
【図２２】  図２１の２２−２２線矢視断面図であり、一体形の回動自在なフラップを示す図である。
【図２２Ａ】  図２２の断面図と類似した図であるが、複数の短い互いに平行なフラップを示す図である。
【図２３】  多孔性エラストマーウェブの部分斜視図である。
【図２３Ａ】  複数の互いに間隔を置いたスリット又は切れ目を有するウエストバンド材料の内側の身体に向いた層の部分平面図である。
【図２３Ｂ】  図２３Ａに示す材料に引張力を及ぼした後の材料の部分平面図である。
【図２４】  本発明のプルオン式おむつの別の実施形態の斜視図である。
【図２５】  本発明のプルオン式おむつの更に別の実施形態の斜視図である。
【図１】
0004767419.tif 000005
【図２】
0004767419.tif 000006
【図３】
0004767419.tif 000007
【図４】
0004767419.tif 000008
【図５】
0004767419.tif 000009
【図６】
0004767419.tif 000010
【図７】
0004767419.tif 000011
【図８】
0004767419.tif 000012
【図９】
0004767419.tif 000013
【図１０】
0004767419.tif 000014
【図１１】
0004767419.tif 000015
【図１２】
0004767419.tif 000016
【図１３】
0004767419.tif 000017
【図１４】
0004767419.tif 000018
【図１５】
0004767419.tif 000019
【図１６】
0004767419.tif 000020
【図１７】
0004767419.tif 000021
【図１８】
0004767419.tif 000022
【図１９】
0004767419.tif 000023
【図２０】
0004767419.tif 000024
【図２１】
0004767419.tif 000025
【図２２】
0004767419.tif 000026
【図２２Ａ】
0004767419.tif 000027
【図２３】
0004767419.tif 000028
【図２３Ａ】
0004767419.tif 000029
【図２３Ｂ】
0004767419.tif 000030
【図２４】
0004767419.tif 000031
【図２５】
0004767419.tif 000032